(57)【特許請求の範囲】
【請求項１】
第１基板と、
前記第１基板上に設けられた複数の画素からなる画素群と、
平面視において前記画素群とそれぞれ重なる複数の第１電極と、
平面視において前記画素群とそれぞれ重なる複数の第２電極と、
前記複数の第１電極に駆動信号を供給する駆動部と、
前記複数の第２電極と前記複数の第１電極との間の静電容量に基づいて入力位置を検出する検出部と、
を有し、
前記複数の第１電極は、平面視において、第１方向にそれぞれ延在し、かつ、前記第１方向と交差する第２方向に配列され、
前記複数の第２電極は、平面視において、前記第２方向にそれぞれ延在し、かつ、前記第１方向に配列され、
前記駆動部は、
前記複数の第１電極からなる第１配列の前記第２方向における第１の側の第１端部に配置された第１電極、または、前記第１配列の前記第１端部に配置された第１電極を含む２以上の第１個数の第１電極の各々、に対して前記駆動信号を供給する第１駆動動作と、
前記複数の第１電極から選択された第２個数の第１電極の各々に対して前記駆動信号を供給する第２駆動動作と、
を行い、
前記駆動部は、選択される前記第２個数の第１電極の各々を、前記第２方向に第３個数ずつずらしながら、前記第２駆動動作を複数回繰り返し、
前記第２駆動動作において、
選択された前記第２個数の第１電極からなる第２配列の前記第２方向における前記第１の側の第２端部に配置された第１電極、および、前記第２配列の前記第２方向における前記第１の側と反対側の第３端部に配置された第１電極、の各々に対して、前記駆動信号として第１駆動信号を供給し、
前記第２配列の中央部に配置された第１電極に対して、前記駆動信号として前記第１駆動信号よりも弱い第２駆動信号を供給し、
前記第２個数は３であり、
前記第１駆動動作における前記第１個数の第１電極は、前記第２方向に連続して配置され、
前記第２駆動動作における前記第２個数の第１電極は、前記第２方向に連続して配置され、
前記第３個数は２である、表示装置。
【請求項２】
第１基板と、
前記第１基板上に設けられた複数の画素からなる画素群と、
平面視において前記画素群とそれぞれ重なる複数の第１電極と、
平面視において前記画素群とそれぞれ重なる複数の第２電極と、
前記複数の第１電極に駆動信号を供給する駆動部と、
前記複数の第２電極と前記複数の第１電極との間の静電容量に基づいて入力位置を検出する検出部と、
を有し、
前記複数の第１電極は、平面視において、第１方向にそれぞれ延在し、かつ、前記第１方向と交差する第２方向に配列され、
前記複数の第２電極は、平面視において、前記第２方向にそれぞれ延在し、かつ、前記第１方向に配列され、
前記駆動部は、
前記複数の第１電極からなる第１配列の前記第２方向における第１の側の第１端部に配置された第１電極、または、前記第１配列の前記第１端部に配置された第１電極を含む２以上の第１個数の第１電極の各々、に対して前記駆動信号を供給する第１駆動動作と、
前記複数の第１電極から選択された第２個数の第１電極の各々に対して前記駆動信号を供給する第２駆動動作と、
を行い、
前記駆動部は、選択される前記第２個数の第１電極の各々を、前記第２方向に第３個数ずつずらしながら、前記第２駆動動作を複数回繰り返し、
前記第２個数は３であり、
前記第３個数は２であり、
前記複数の第２電極の各々は、
前記第１配列の前記第１端部から、前記第１配列の前記第２方向における前記第１の側と反対側の第５端部に向かって、前記第１配列の奇数番目にそれぞれ配置された複数の第１電極の各々と、平面視においてそれぞれ重なる複数の第１部分と、
前記第１配列の前記第１端部から、前記第１配列の前記第５端部に向かって、前記第１配列の偶数番目にそれぞれ配置された複数の第１電極の各々と、平面視においてそれぞれ重なる複数の第２部分と、
を含み、
前記複数の第１部分の各々と、前記複数の第２部分の各々とは、前記第２方向に交互に直列に接続され、
前記複数の第２部分の各々の前記第１方向における幅は、前記複数の第１部分の各々の前記第１方向における幅よりも狭い、表示装置。
【請求項３】
第１基板と、
前記第１基板上に設けられた複数の画素からなる画素群と、
平面視において前記画素群とそれぞれ重なる複数の第１電極と、
平面視において前記画素群とそれぞれ重なる複数の第２電極と、
前記複数の第１電極に駆動信号を供給する駆動部と、
前記複数の第２電極と前記複数の第１電極との間の静電容量に基づいて入力位置を検出する検出部と、
を有し、
前記複数の第１電極は、平面視において、第１方向にそれぞれ延在し、かつ、前記第１方向と交差する第２方向に配列され、
前記複数の第２電極は、平面視において、前記第２方向にそれぞれ延在し、かつ、前記第１方向に配列され、
前記駆動部は、
前記複数の第１電極からなる第１配列の前記第２方向における第１の側の第１端部に配置された第１電極、または、前記第１配列の前記第１端部に配置された第１電極を含む２以上の第１個数の第１電極の各々、に対して前記駆動信号を供給する第１駆動動作と、
前記複数の第１電極から選択された第２個数の第１電極の各々に対して前記駆動信号を供給する第２駆動動作と、
を行い、
前記駆動部は、選択される前記第２個数の第１電極の各々を、前記第２方向に第３個数ずつずらしながら、前記第２駆動動作を複数回繰り返し、
前記第２個数は３であり、
前記第３個数は２であり、
前記複数の第２電極の各々は、
前記第１配列の前記第１端部から、前記第１配列の前記第２方向における前記第１の側と反対側の第６端部に向かって、前記第１配列の奇数番目にそれぞれ配置された複数の第１電極の各々と、平面視においてそれぞれ重なる複数の第３部分と、
前記第１配列の前記第１端部から、前記第１配列の前記第６端部に向かって、前記第１配列の偶数番目にそれぞれ配置された複数の第１電極の各々と、平面視においてそれぞれ重なる複数の第４部分と、
を含み、
前記複数の第３部分の各々と、前記複数の第４部分の各々とは、前記第２方向に交互に直列に接続され、
前記複数の第３部分の各々は、前記第２方向にそれぞれ延在する２つの第１延在部からなり、
前記複数の第４部分の各々は、前記第２方向に延在する１つの第２延在部からなり、
前記２つの第１延在部は、前記第１方向に間隔を空けて配置され、かつ、互いに並列に接続されている、表示装置。
【請求項４】
請求項１〜３のいずれか１項に記載の表示装置において、
前記第１方向に連続して配置された複数の前記第２電極からなる電極群を有し、
前記検出部は、前記第１駆動動作、および、複数回繰り返される前記第２駆動動作において、前記電極群に含まれる前記複数の第２電極の各々と前記複数の第１電極との間の前記静電容量としての第１静電容量をそれぞれ合算した第２静電容量に基づいて、入力位置を検出する、表示装置。
【請求項５】
請求項１〜３のいずれか１項に記載の表示装置において、
前記第１電極の総数をＮ１とし、前記第２個数をＮ２とし、前記第３個数をＮ３とし、自然数をｎとしたとき、Ｎ１＝Ｎ３×ｎ＋（Ｎ２−Ｎ３）を満たす、表示装置。
【請求項６】
請求項１記載の表示装置において、
前記第１配列の前記第１端部から、前記第１配列の前記第２方向における前記第１の側と反対側の第４端部に向かって、前記第１配列の偶数番目の位置にそれぞれ配置された複数の第１電極の各々の、前記第２方向における幅は、前記第１配列の前記第１端部から前記第１配列の前記第４端部に向かって、前記第１配列の奇数番目にそれぞれ配置された複数の第１電極の各々の、前記第２方向における幅よりも狭い、表示装置。
【請求項７】
請求項１〜３のいずれか１項に記載の表示装置において、
前記駆動部は、前記第１駆動動作において、
前記第１配列の前記第１端部に配置された第１電極に対して前記駆動信号を供給する第３駆動動作と、
前記第１個数の第１電極の各々に対して前記駆動信号を供給する第４駆動動作と、
を行う、表示装置。
【請求項８】
請求項１〜３のいずれか１項に記載の表示装置において、
前記第１基板と対向配置された第２基板と、
前記第１基板と前記第２基板との間に挟まれた液晶層と、
前記複数の画素の各々にそれぞれ設けられた複数の第３電極と、
を有し、
前記複数の第３電極の各々と、前記複数の第１電極のいずれかとの間に電界が形成されることにより、画像が表示される、表示装置。
【請求項９】
請求項４記載の表示装置において、
前記電極群は、前記電極群に含まれる前記複数の第２電極の各々の前記第２方向における第２の側の第７端部を互いに接続する接続部を含み、
前記電極群に含まれる前記複数の第２電極の各々は、前記接続部を介して、前記検出部に接続されている、表示装置。
【請求項１０】
請求項４記載の表示装置において、
前記検出部は、
前記電極群に含まれる前記複数の第２電極の各々とそれぞれ接続され、前記電極群に含まれる前記複数の第２電極の各々からの検出信号を、前記第１静電容量にそれぞれ変換する複数の変換部と、
前記複数の変換部の各々と接続され、前記複数の変換部の各々で変換された前記第１静電容量をそれぞれ合算して前記第２静電容量を取得する合算部と、
を含む、表示装置。
【請求項１１】
請求項１〜３のいずれか１項に記載の表示装置において、
前記駆動部は、前記第１配列の前記第２方向における前記第１の側と反対側の第８端部に配置された第１電極、または、前記第１配列の前記第８端部に配置された第１電極を含む２以上の第４個数の第１電極の各々、に対して前記駆動信号を供給する第５駆動動作を行い、
前記駆動部は、選択される前記第２個数の第１電極の各々を、前記第２方向における前記第１の側と反対側に前記第３個数ずつずらしながら、前記第２駆動動作を繰り返し、
前記第５駆動動作における前記第４個数の第１電極は、前記第２方向に連続して配置され、
前記第４個数は、前記第２個数未満である、表示装置。
【請求項１２】
請求項１１記載の表示装置において、
前記駆動部は、前記第５駆動動作において、
前記第４個数の第１電極の各々に対して前記駆動信号を供給する第６駆動動作と、
前記第１配列の前記第８端部に配置された第１電極に対して前記駆動信号を供給する第７駆動動作と、
を行う、表示装置。
【請求項１３】
第１基板と、
前記第１基板上に設けられた複数の画素からなる画素群と、
平面視において前記画素群とそれぞれ重なる複数の第１電極と、
平面視において前記画素群とそれぞれ重なる複数の第２電極と、
前記複数の第１電極に駆動信号を供給する駆動部と、
前記複数の第２電極と前記複数の第１電極との間の静電容量に基づいて入力位置を検出する検出部と、
を有し、
前記複数の第１電極は、平面視において、第１方向にそれぞれ延在し、かつ、前記第１方向と交差する第２方向に配列され、
前記複数の第２電極は、平面視において、前記第２方向にそれぞれ延在し、かつ、前記第１方向に配列され、
前記駆動部は、
前記複数の第１電極からなる第１配列の前記第２方向における第１の側の第１端部に配置された第１電極、または、前記第１配列の前記第１端部に配置された第１電極を含む２個のみの第１電極の各々、に対して前記駆動信号を供給する第１駆動動作と、
前記複数の第１電極から選択された３個の第１電極からなる第２配列の、前記第２方向における前記第１の側の第２端部に配置された第１電極、および、前記第２配列の前記第２方向における前記第１の側と反対側の第３端部に配置された第１電極、の各々に対して前記駆動信号を供給する第２駆動動作と、
を行い、
前記駆動部は、選択される前記３個の第１電極の各々を、前記第２方向に２個ずつずらしながら、前記第２駆動動作を複数回繰り返し、
前記第１駆動動作における前記２個の第１電極は、前記第２方向に連続して配置され、
前記第２駆動動作における前記３個の第１電極は、前記第２方向に連続して配置されている、表示装置。
【請求項１４】
請求項１３記載の表示装置において、
前記第１配列の前記第１端部から、前記第１配列の前記第２方向における前記第１の側と反対側の第４端部に向かって、前記第１配列の偶数番目の位置にそれぞれ配置された複数の第１電極の各々の、前記第２方向における幅は、前記第１配列の前記第１端部から前記第１配列の前記第４端部に向かって、前記第１配列の奇数番目にそれぞれ配置された複数の第１電極の各々の、前記第２方向における幅よりも狭い、表示装置。
【発明の詳細な説明】
【技術分野】
【０００１】
本発明は表示装置に関し、特に、静電容量方式の入力装置を備えた表示装置に関する。
【背景技術】
【０００２】
近年、表示装置の表示面側に、タッチパネルあるいはタッチセンサと呼ばれる入力装置を取り付け、タッチパネルに指やタッチペンなどの入力具などを接触させて入力動作を行ったときに、入力位置を検出して出力する技術がある。このようなタッチパネルを有する表示装置は、コンピュータのほか、携帯電話などの携帯情報端末などで、広く使用されている。
【０００３】
タッチパネルに指などが接触した接触位置を検出する検出方式の一つとして、静電容量方式がある。静電容量方式を用いたタッチパネルでは、タッチパネルの面内に、誘電層を挟んで対向配置された一対の電極、すなわち駆動電極および検出電極からなる複数の容量素子が設けられている。そして、指やタッチペンなどの入力具を容量素子に接触させて入力動作を行ったときに、容量素子の静電容量が変化することを利用して、入力位置を検出する。
【０００４】
例えば、特開２０１２−６８９８０号公報（特許文献１）には、一方向に延在するように並設された複数の駆動電極から駆動対象電極を所定の複数本ずつ時分割的に順次選択し、その選択された駆動対象電極に対して外部近接物体を検出するためのタッチ検出駆動信号を印加することにより走査駆動を行う技術が記載されている。
【先行技術文献】
【特許文献】
【０００５】
【特許文献１】特開２０１２−６８９８０号公報
【発明の概要】
【発明が解決しようとする課題】
【０００６】
複数の駆動電極からなる配列のうち、１つの走査駆動動作で走査駆動を行う範囲を駆動範囲とする。このとき、隣り合う２つの駆動範囲が、互いに重ならない場合において、隣り合う２つの駆動範囲の境界部で入力具が接触または近接したときは、その２つの駆動範囲のいずれにおける検出信号の強度も弱くなる。このような場合、検出感度が低下し、その結果、検出される入力位置の位置分解能が低下する。
【０００７】
また、複数の駆動電極からなる配列の端部に配置された駆動電極が含まれる走査駆動動作の数は、配列の中央部に配置された駆動電極が含まれる走査駆動動作の数よりも少ない。したがって、入力位置を演算により求める際の情報が少なくなるので、複数の駆動電極からなる配列の端部に配置された駆動電極の上で入力具が接触または近接した場合の感度および位置分解能は、配列の中央部に配置された駆動電極の上で入力具が接触または近接した場合の感度および位置分解能に比べて、低下する。
【０００８】
本発明は、上述のような従来技術の問題点を解決すべくなされたものであって、駆動範囲の境界部、および、表示領域の端部のいずれにおいて入力具が接触または近接した場合でも、検出感度および位置分解能を向上させることができる表示装置を提供することを目的とする。
【課題を解決するための手段】
【０００９】
本願において開示される発明のうち、代表的なものの概要を簡単に説明すれば、次のとおりである。
【００１０】
本発明の一態様としての表示装置は、第１基板と、第１基板上に設けられた複数の画素からなる画素群と、平面視において画素群とそれぞれ重なる複数の第１電極と、平面視において画素群とそれぞれ重なる複数の第２電極と、を有する。また、当該表示装置は、複数の第１電極に駆動信号を供給する駆動部と、複数の第２電極と複数の第１電極との間の静電容量に基づいて入力位置を検出する検出部と、を有する。複数の第１電極は、平面視において、第１方向にそれぞれ延在し、かつ、第１方向と交差する第２方向に配列され、複数の第２電極は、平面視において、第２方向にそれぞれ延在し、かつ、第１方向に配列されている。駆動部は、複数の第１電極からなる第１配列の第２方向における第１の側の第１端部に配置された第１電極、または、第１配列の第１端部に配置された第１電極を含む２以上の第１個数の第１電極の各々、に対して駆動信号を供給する第１駆動動作を行う。また、駆動部は、複数の第１電極から選択された第２個数の第１電極の各々に対して駆動信号を供給する第２駆動動作を行う。駆動部は、選択される第２個数の第１電極の各々を、第２方向に第３個数ずつずらしながら、第２駆動動作を複数回繰り返す。第２個数は２以上であり、第１駆動動作における第１個数の第１電極は、第２方向に連続して配置され、第２駆動動作における第２個数の第１電極は、第２方向に連続して配置され、第３個数は、第２個数未満である。
【００１１】
また、本発明の一態様としての表示装置は、第１基板と、第１基板上に設けられた複数の画素からなる画素群と、平面視において画素群とそれぞれ重なる複数の第１電極と、平面視において画素群とそれぞれ重なる複数の第２電極と、を有する。また、当該表示装置は、複数の第１電極に駆動信号を供給する駆動部と、複数の第２電極と複数の第１電極との間の静電容量に基づいて入力位置を検出する検出部と、を有する。複数の第１電極は、平面視において、第１方向にそれぞれ延在し、かつ、第１方向と交差する第２方向に配列され、複数の第２電極は、平面視において、第２方向にそれぞれ延在し、かつ、第１方向に配列されている。駆動部は、複数の第１電極からなる第１配列の第２方向における第１の側の第１端部に配置された第１電極、または、第１配列の第１端部に配置された第１電極を含む２個の第１電極の各々、に対して駆動信号を供給する第１駆動動作を行う。また、駆動部は、複数の第１電極から選択された３個の第１電極からなる第２配列の、第２方向における第１の側の第２端部に配置された第１電極、および、第２配列の第２方向における第１の側と反対側の第３端部に配置された第１電極、の各々に対して駆動信号を供給する第２駆動動作を行う。駆動部は、選択される３個の第１電極の各々を、第２方向に２個ずつずらしながら、第２駆動動作を複数回繰り返す。第１駆動動作における２個の第１電極は、第２方向に連続して配置され、第２駆動動作における３個の第１電極は、第２方向に連続して配置されている。
【図面の簡単な説明】
【００１２】
【図１】実施の形態１の表示装置の一構成例を示すブロック図である。
【図２】タッチ検出デバイスに指が接触または近接した状態を表す説明図である。
【図３】タッチ検出デバイスに指が接触または近接した状態の等価回路の例を示す説明図である。
【図４】駆動信号および検出信号の波形の一例を示す図である。
【図５】実施の形態１の表示装置を実装したモジュールの一例を示す平面図である。
【図６】実施の形態１の表示装置のタッチ検出機能付き表示デバイスを示す断面図である。
【図７】実施の形態１の表示装置のタッチ検出機能付き表示デバイスを示す回路図である。
【図８】実施の形態１の表示装置の駆動電極および検出電極の一構成例を示す斜視図である。
【図９】実施の形態１の表示装置における駆動電極の配置を示す平面図である。
【図１０】実施の形態１の表示装置における駆動信号および検出信号のタイミング波形例を表す図である。
【図１１】実施の形態１の表示装置における走査駆動動作の一動作例を表す図である。
【図１２】実施の形態１の表示装置における走査駆動動作の他の動作例を表す図である。
【図１３】実施の形態１の表示装置における走査駆動動作のさらに他の動作例を表す図である。
【図１４】比較例１の表示装置における走査駆動動作を拡大して表す図である。
【図１５】実施の形態１の表示装置における走査駆動動作を拡大して表す図である。
【図１６】比較例２の表示装置における走査駆動動作の一動作例を表す図である。
【図１７】実施の形態１の表示装置における入力位置の演算方法を説明するための図である。
【図１８】実施の形態１における検出電極の一例を示す平面図である。
【図１９】実施の形態１における検出電極の他の例を示す平面図である。
【図２０】実施の形態２の表示装置における走査駆動動作の一動作例を表す図である。
【図２１】実施の形態１の走査駆動動作を行ったときの、入力具の高さと、検出信号の強度との関係を示すグラフである。
【図２２】実施の形態２の第１変形例の表示装置における駆動電極の配置を示す平面図である。
【図２３】実施の形態２の第１変形例の表示装置における走査駆動動作の一動作例を表す図である。
【図２４】実施の形態１および実施の形態２の第１変形例の走査駆動動作を行ったときの、入力具の高さと、検出信号の強度との関係を示すグラフである。
【図２５】実施の形態２の第２変形例における検出電極の一例を示す平面図である。
【図２６】実施の形態２の第２変形例における検出電極の他の例を示す平面図である。
【図２７】実施の形態３の表示装置における走査駆動動作の一動作例を表す図である。
【図２８】実施の形態３の変形例の表示装置における走査駆動動作の一動作例を表す図である。
【図２９】自己容量方式における検出電極の電気的な接続状態を表す説明図である。
【図３０】自己容量方式における検出電極の電気的な接続状態を表す説明図である。
【発明を実施するための形態】
【００１３】
以下に、本発明の各実施の形態について、図面を参照しつつ説明する。
【００１４】
なお、開示はあくまで一例にすぎず、当業者において、発明の主旨を保っても適宜変更について容易に想到し得るものについては、当然に本発明の範囲に含有されるものである。また、図面は説明をより明確にするため、実施の態様に比べ、各部の幅、厚さ、形状等について模式的に表される場合があるが、あくまで一例であって、本発明の解釈を限定するものではない。
【００１５】
また本明細書と各図において、既出の図に関して前述したものと同様の要素には、同一の符号を付して、詳細な説明を適宜省略することがある。
【００１６】
さらに、実施の形態で用いる図面においては、構造物を区別するために付したハッチング（網掛け）を図面に応じて省略する場合もある。
【００１７】
（実施の形態１）
初めに、実施の形態１として、入力装置としてのタッチパネルを備えた表示装置を、インセルタイプのタッチ検出機能付き液晶表示装置に適用した例について説明する。
【００１８】
なお、本願明細書では、入力装置とは、少なくとも電極に対して近接または接触する物体の容量に応じて変化する静電容量を検出する入力装置である。ここで、静電容量を検出する方式としては、２つの電極の間の静電容量を検出する相互容量方式のみならず、１つの電極の静電容量を検出する自己容量方式も含まれる。また、タッチ検出機能付き液晶表示装置とは、表示部を形成する第１基板および第２基板のいずれか一方にタッチ検出用の検出電極が設けられた液晶表示装置である。また、本実施の形態１においては、さらに、駆動電極が、表示部の駆動電極として動作し、かつ、入力装置の駆動電極として動作するように、設けられている、という特徴を持つインセルタイプのタッチ検出機能付き液晶表示装置について述べる。
【００１９】
なお、入力装置としてのタッチパネルを備えた表示装置を、表示装置の駆動電極ＣＯＭＬと入力装置の駆動電極とが別々に形成された、インセルタイプのタッチ検出機能付き液晶表示装置に適用することもできる。
【００２０】
＜全体構成＞
初めに、図１を参照し、実施の形態１の表示装置の全体構成について説明する。図１は、実施の形態１の表示装置の一構成例を示すブロック図である。
【００２１】
表示装置１は、タッチ検出機能付き表示デバイス１０と、制御部１１と、ゲートドライバ１２と、ソースドライバ１３と、駆動電極ドライバ１４と、タッチ検出部４０とを備えている。
【００２２】
タッチ検出機能付き表示デバイス１０は、表示デバイス２０と、タッチ検出デバイス３０とを有する。表示デバイス２０は、本実施の形態１では、表示素子として液晶表示素子を用いた表示デバイスとする。したがって、以下では、表示デバイス２０を、液晶表示デバイス２０と称する場合がある。タッチ検出デバイス３０は、静電容量方式のタッチ検出デバイス、すなわち静電容量型のタッチ検出デバイスである。そのため、表示装置１は、タッチ検出機能を有する入力装置を備えた表示装置である。また、タッチ検出機能付き表示デバイス１０は、液晶表示デバイス２０と、タッチ検出デバイス３０とを一体化した表示デバイスであり、タッチ検出機能を内蔵した表示デバイス、すなわちインセルタイプのタッチ検出機能付き表示デバイスである。
【００２３】
なお、タッチ検出機能付き表示デバイス１０は、表示デバイス２０の上に、タッチ検出デバイス３０を装着した表示デバイスであってもよい。また、表示デバイス２０は、液晶表示素子を用いた表示デバイスに代え、例えば、有機ＥＬ（Electroluminescence）表示デバイスであってもよい。
【００２４】
表示デバイス２０は、ゲートドライバ１２から供給される走査信号Ｖｓｃａｎに従って、表示領域において、１水平ラインずつ順次走査を行うことにより表示を行う。タッチ検出デバイス３０は、後述するように、静電容量型タッチ検出の原理に基づいて動作し、検出信号Ｖｄｅｔを出力する。
【００２５】
制御部１１は、外部より供給された映像信号Ｖｄｉｓｐに基づいて、ゲートドライバ１２、ソースドライバ１３、駆動電極ドライバ１４およびタッチ検出部４０に対してそれぞれ制御信号を供給し、これらが互いに同期して動作するように制御する回路である。
【００２６】
ゲートドライバ１２は、制御部１１から供給される制御信号に基づいて、タッチ検出機能付き表示デバイス１０の表示駆動の対象となる１水平ラインを順次選択する機能を有する。
【００２７】
ソースドライバ１３は、制御部１１から供給される画像信号Ｖｓｉｇの制御信号に基づいて、タッチ検出機能付き表示デバイス１０に含まれた副画素ＳＰｉｘ（後述する図７参照）に、画素信号Ｖｐｉｘを供給する回路である。
【００２８】
駆動電極ドライバ１４は、制御部１１から供給される制御信号に基づいて、タッチ検出機能付き表示デバイス１０に含まれた複数の駆動電極ＣＯＭＬ（後述する図５または図６参照）に、駆動信号Ｖｃｏｍおよび駆動信号Ｖｃｏｍｔを供給する、駆動部としての回路である。
【００２９】
タッチ検出部４０は、制御部１１から供給される制御信号と、タッチ検出機能付き表示デバイス１０のタッチ検出デバイス３０から供給された検出信号Ｖｄｅｔに基づいて、タッチ検出デバイス３０に対する指やタッチペンなどの入力具のタッチ、すなわち後述する接触または近接の状態、の有無を検出する回路である。そして、タッチ検出部４０は、タッチがある場合においてタッチ検出領域におけるその座標、すなわち入力位置などを求める回路である。タッチ検出部４０は、タッチ検出信号増幅部４２と、Ａ／Ｄ（Analog/Digital）変換部４３と、信号処理部４４と、座標抽出部４５と、検出タイミング制御部４６とを備えている。
【００３０】
タッチ検出信号増幅部４２は、タッチ検出デバイス３０から供給される検出信号Ｖｄｅｔを増幅する。タッチ検出信号増幅部４２は、検出信号Ｖｄｅｔに含まれる高い周波数成分、すなわちノイズ成分を除去し、タッチ成分を取り出してそれぞれ出力する低域通過アナログフィルタを備えていてもよい。
【００３１】
＜静電容量型タッチ検出の原理＞
次に、図１〜図４を参照し、本実施の形態１の表示装置１におけるタッチ検出の原理について説明する。図２は、タッチ検出デバイスに指が接触または近接した状態を表す説明図である。図３は、タッチ検出デバイスに指が接触または近接した状態の等価回路の例を示す説明図である。図４は、駆動信号および検出信号の波形の一例を示す図である。
【００３２】
なお、本願明細書では、近接した、とは、タッチ検出デバイスに、指などの入力具が、直接接触してはいないが、検出信号の強度が予め定められたしきい値以上になるように、近づいている状態であることを、意味する。
【００３３】
図２に示すように、静電容量型タッチ検出においては、タッチパネルあるいはタッチセンサと呼ばれる入力装置は、誘電体Ｄを挟んで互いに対向配置された駆動電極Ｅ１および検出電極Ｅ２を有する。これらの駆動電極Ｅ１および検出電極Ｅ２により容量素子Ｃ１が形成されている。図３に示すように、容量素子Ｃ１の一端は、駆動信号源である交流信号源Ｓに接続され、容量素子Ｃ１の他端は、タッチ検出部である電圧検出器ＤＥＴに接続される。電圧検出器ＤＥＴは、例えば図１に示すタッチ検出信号増幅部４２に含まれる積分回路からなる。
【００３４】
交流信号源Ｓから容量素子Ｃ１の一端、すなわち駆動電極Ｅ１に、例えば数ｋＨｚ〜数百ｋＨｚ程度の周波数を有する交流矩形波Ｓｇが印加されると、容量素子Ｃ１の他端、すなわち検出電極Ｅ２側に接続された電圧検出器ＤＥＴを介して、出力波形である検出信号Ｖｄｅｔが発生する。なお、この交流矩形波Ｓｇは、例えば図４に示す駆動信号Ｖｃｏｍｔに相当するものである。
【００３５】
指が接触および近接していない状態、すなわち非接触状態では、図３に示すように、容量素子Ｃ１に対する充放電に伴って、容量素子Ｃ１の容量値に応じた電流Ｉ１が流れる。電圧検出器ＤＥＴは、交流矩形波Ｓｇに応じた電流Ｉ１の変動を、電圧の変動に変換する。この電圧の変動は、図４において、実線の波形Ｖ０で示されている。
【００３６】
一方、指が接触または近接した状態、すなわち接触状態では、指によって形成される静電容量Ｃ２の影響を受け、駆動電極Ｅ１および検出電極Ｅ２により形成される容量素子Ｃ１の容量値が小さくなる。そのため、図３に示す容量素子Ｃ１に流れる電流Ｉ１が変動する。電圧検出器ＤＥＴは、交流矩形波Ｓｇに応じた電流Ｉ１の変動を電圧の変動に変換する。この電圧の変動は、図４において、破線の波形Ｖ１で示されている。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることが好ましい。
【００３７】
図１に示す例では、タッチ検出デバイス３０は、駆動電極ドライバ１４から供給される駆動信号Ｖｃｏｍｔに従って、１個または複数個の駆動電極ＣＯＭＬ（後述する図５または図６参照）を含む駆動範囲ごとにタッチ検出を行う。すなわち、タッチ検出デバイス３０は、１個または複数個の駆動電極ＣＯＭＬを含む駆動範囲ごとに、図３に示す電圧検出器ＤＥＴを介して、検出信号Ｖｄｅｔを出力し、出力した検出信号Ｖｄｅｔを、タッチ検出部４０のタッチ検出信号増幅部４２に供給する。
【００３８】
Ａ／Ｄ変換部４３は、駆動信号Ｖｃｏｍｔに同期したタイミングで、タッチ検出信号増幅部４２から出力されるアナログ信号をそれぞれサンプリングしてデジタル信号に変換する回路である。
【００３９】
信号処理部４４は、Ａ／Ｄ変換部４３の出力信号に含まれる、駆動信号Ｖｃｏｍｔをサンプリングした周波数以外の周波数成分、すなわちノイズ成分を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみを取り出す処理を行う。この指による差分の電圧は、上述した波形Ｖ０と波形Ｖ１との差分の絶対値｜ΔＶ｜である。信号処理部４４は、１個の駆動範囲当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０によるタッチ検出が行われる。
【００４０】
座標抽出部４５は、信号処理部４４においてタッチが検出されたときに、タッチが検出された位置の座標、すなわちタッチパネルにおける入力位置を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００４１】
＜モジュール＞
図５は、実施の形態１の表示装置を実装したモジュールの一例を示す平面図である。
【００４２】
図５に示すように、表示装置１は、タッチ検出機能付き表示デバイス１０と、ＣＯＧ（Chip On Glass）１９と、基板２１とを有する。
【００４３】
タッチ検出機能付き表示デバイス１０は、複数の駆動電極ＣＯＭＬと、複数の検出電極ＴＤＬとを有する。ここで、基板２１の主面としての上面内で、互いに交差、好適には直交する２つの方向を、Ｘ軸方向およびＹ軸方向とする。このとき、複数の駆動電極ＣＯＭＬは、Ｘ軸方向にそれぞれ延在し、かつ、Ｙ軸方向に配列されている。また、複数の検出電極ＴＤＬは、平面視において、Ｙ軸方向にそれぞれ延在し、かつ、Ｘ軸方向に配列されている。すなわち、複数の検出電極ＴＤＬの各々は、平面視において、複数の駆動電極ＣＯＭＬと交差している。なお、タッチ検出機能付き表示デバイス１０が形成されている領域は、画像が表示される表示領域Ａｄと同一の領域である。
【００４４】
なお、本願明細書では、「平面視において」とは、基板２１の主面としての上面に垂直な方向から視た場合を意味する。
【００４５】
図７を用いて後述するように、複数の駆動電極ＣＯＭＬの各々は、平面視において、Ｘ軸方向に配列された複数の副画素ＳＰｉｘと重なるように設けられている。すなわち、１個の駆動電極ＣＯＭＬは、複数の副画素ＳＰｉｘに対して共通な電極として設けられている。
【００４６】
図５に示す例では、タッチ検出機能付き表示デバイス１０は、平面視において、Ｘ軸方向にそれぞれ延在する２つの辺と、Ｙ軸方向にそれぞれ延在する２つの辺とを備え、矩形形状を有する。Ｙ軸方向におけるタッチ検出機能付き表示デバイス１０の一方の側には、フレキシブル基板などからなる端子部Ｔが設けられている。検出電極ＴＤＬは、端子部Ｔを介して、このモジュールの外部に実装されたタッチ検出部４０（図１参照）と接続されている。ＣＯＧ１９は、基板２１に実装されたチップであり、図１に示した制御部１１、ゲートドライバ１２、ソースドライバ１３など、表示動作に必要な各回路を内蔵したものである。なお、ＣＯＧ１９は、駆動電極ドライバ１４を内蔵してもよい。
【００４７】
＜タッチ検出機能付き表示デバイス＞
次に、図５〜図８を参照し、タッチ検出機能付き表示デバイス１０の構成例を詳細に説明する。図６は、実施の形態１の表示装置のタッチ検出機能付き表示デバイスを示す断面図である。図７は、実施の形態１の表示装置のタッチ検出機能付き表示デバイスを示す回路図である。図８は、実施の形態１の表示装置の駆動電極および検出電極の一構成例を示す斜視図である。
【００４８】
タッチ検出機能付き表示デバイス１０は、アレイ基板２と、対向基板３と、液晶層６と、を有する。対向基板３は、アレイ基板２の主面としての上面と、対向基板３の主面としての下面とが対向するように、アレイ基板２と対向配置されている。液晶層６は、アレイ基板２と対向基板３との間に設けられている。すなわち、液晶層６は、基板２１の上面と基板３１の下面との間に挟まれている。
【００４９】
アレイ基板２は、基板２１を有する。また、対向基板３は、基板３１を有する。基板３１は、一方の主面としての上面と、上面と反対側の他方の主面としての下面と、を有し、基板２１の主面としての上面と、基板３１の主面としての下面とが対向するように、基板２１と対向配置されている。
【００５０】
図７に示すように、表示領域Ａｄで、基板２１には、複数の走査線ＧＣＬ、複数の信号線ＳＧＬ、および、複数の薄膜トランジスタ（Thin Film Transistor；ＴＦＴ）であるＴＦＴ素子Ｔｒが形成されている。なお、図６では、走査線ＧＣＬ、信号線ＳＧＬおよびＴＦＴ素子Ｔｒの図示は、省略する。また、走査線は、ゲート配線を意味し、信号線は、ソース配線を意味する。
【００５１】
図７に示すように、複数の走査線ＧＣＬは、表示領域Ａｄで、Ｘ軸方向にそれぞれ延在し、かつ、Ｙ軸方向に配列されている。複数の信号線ＳＧＬは、表示領域Ａｄで、Ｙ軸方向にそれぞれ延在し、かつ、Ｘ軸方向に配列されている。したがって、複数の信号線ＳＧＬの各々は、平面視において、複数の走査線ＧＣＬと交差する。このように、平面視において、互いに交差する複数の走査線ＧＣＬと複数の信号線ＳＧＬとの交点に、副画素ＳＰｉｘが配置され、複数の異なる色の副画素ＳＰｉｘにより１個の画素Ｐｉｘが形成される。すなわち、複数の副画素ＳＰｉｘは、基板２１の上面に設けられ、平面視において、表示領域Ａｄ内に配置されており、Ｘ軸方向およびＹ軸方向にマトリクス状に配列されている。これら複数の副画素ＳＰｉｘにより、画素群ＳＰｉｘＧが形成されている。すなわち、画素群ＳＰｉｘＧは、基板２１上に設けられた複数の副画素ＳＰｉｘからなる。
【００５２】
平面視において、複数の走査線ＧＣＬの各々と複数の信号線ＳＧＬの各々とが交差する交差部には、ＴＦＴ素子Ｔｒが形成されている。したがって、表示領域Ａｄで、基板２１上には、複数のＴＦＴ素子Ｔｒが形成されており、これらの複数のＴＦＴ素子Ｔｒは、Ｘ軸方向およびＹ軸方向にマトリクス状に配列されている。すなわち、複数の副画素ＳＰｉｘの各々には、ＴＦＴ素子Ｔｒが設けられている。また、複数の副画素ＳＰｉｘの各々には、ＴＦＴ素子Ｔｒに加え、液晶素子ＬＣが設けられている。
【００５３】
ＴＦＴ素子Ｔｒは、例えばｎチャネル型のＭＯＳ（Metal Oxide Semiconductor）としての薄膜トランジスタからなる。ＴＦＴ素子Ｔｒのゲート電極は、走査線ＧＣＬに接続されている。ＴＦＴ素子Ｔｒのソース電極またはドレイン電極の一方は、信号線ＳＧＬに接続されている。ＴＦＴ素子Ｔｒのソース電極またはドレイン電極の他方は、液晶素子ＬＣの一端に接続されている。液晶素子ＬＣは、例えば、一端がＴＦＴ素子Ｔｒのソース電極またはドレイン電極に接続され、他端が駆動電極ＣＯＭＬに接続されている。
【００５４】
図６に示すように、アレイ基板２は、基板２１と、複数の駆動電極ＣＯＭＬと、絶縁膜２４と、複数の画素電極２２とを有する。複数の駆動電極ＣＯＭＬは、平面視において、表示領域Ａｄの内部で、基板２１の一方の主面としての上面に設けられている。複数の駆動電極ＣＯＭＬの各々の表面を含めて基板２１の上面上には、絶縁膜２４が形成されている。表示領域Ａｄで、絶縁膜２４上には、複数の画素電極２２が形成されている。したがって、絶縁膜２４は、駆動電極ＣＯＭＬと画素電極２２とを、電気的に絶縁する。
【００５５】
図７に示すように、複数の画素電極２２は、平面視において、表示領域Ａｄの内部で、Ｘ軸方向およびＹ軸方向にマトリクス状に配列された複数の副画素ＳＰｉｘの各々の内部にそれぞれ形成されている。したがって、複数の画素電極２２は、Ｘ軸方向およびＹ軸方向にマトリクス状に配列されている。
【００５６】
図６に示す例では、複数の駆動電極ＣＯＭＬの各々は、基板２１と画素電極２２との間に形成されている。また、図７で模式的に示すように、複数の駆動電極ＣＯＭＬの各々は、平面視において、複数の画素電極２２と重なるように設けられている。そして、複数の画素電極２２の各々と複数の駆動電極ＣＯＭＬの各々との間に電圧が印加され、複数の画素電極２２の各々と複数の駆動電極ＣＯＭＬの各々との間、すなわち複数の副画素ＳＰｉｘの各々に設けられた液晶素子ＬＣに、電界が形成されることにより、表示領域Ａｄに画像が表示される。この際に駆動電極ＣＯＭＬと画素電極２２との間には容量Ｃａｐが形成され、容量Ｃａｐは保持容量として機能する。
【００５７】
液晶素子ＬＣと、複数の画素電極２２と、駆動電極ＣＯＭＬと、複数の走査線ＧＣＬと、複数の信号線ＳＧＬとにより、画像の表示を制御する表示制御部としての液晶表示デバイス２０が形成される。表示制御部としての液晶表示デバイス２０は、複数の画素電極２２の各々と複数の駆動電極ＣＯＭＬの各々との間に印加される電圧を制御することにより、表示領域Ａｄにおける画像の表示を制御する。表示制御部としての液晶表示デバイス２０は、基板２１と基板３１との間に設けられている。
【００５８】
なお、複数の駆動電極ＣＯＭＬの各々は、画素電極２２を挟んで基板２１と反対側に形成されていてもよい。また、図６に示す例では、駆動電極ＣＯＭＬと画素電極２２との配置が、駆動電極ＣＯＭＬと画素電極２２とが平面視で重なる、横電界モードとしてのＦＦＳ（Fringe Field Switching）モードにおける配置となっている。しかし、駆動電極ＣＯＭＬと画素電極２２との配置は、駆動電極ＣＯＭＬと画素電極２２とが平面視で重ならない、横電界モードとしてのＩＰＳ（In Plane Switching）モードにおける配置でもよい。あるいは、駆動電極ＣＯＭＬと画素電極２２との配置は、縦電界モードとしてのＴＮ（Twisted Nematic）モードまたはＶＡ（Vertical Alignment）モード等における配置でもよい。
【００５９】
液晶層６は、電界の状態に応じてそこを通過する光を変調するものであり、例えば、前述のＦＦＳモード、または、ＩＰＳモード等の横電界モードに対応した液晶層が用いられる。すなわち、液晶表示デバイス２０として、ＦＦＳモードまたはＩＰＳモード等の横電界モードによる液晶表示デバイスが用いられる。あるいは、前述したように、ＴＮモードまたはＶＡモード等の縦電界モードによる液晶表示デバイスが用いられてもよい。なお、図６に示す液晶層６とアレイ基板２との間、および、液晶層６と対向基板３との間には、それぞれ配向膜が設けられていてもよい。
【００６０】
図７に示すように、Ｘ軸方向に配列された複数の副画素ＳＰｉｘ、すなわち液晶表示デバイス２０の同一の行に属する複数の副画素ＳＰｉｘは、走査線ＧＣＬにより互いに接続されている。走査線ＧＣＬは、ゲートドライバ１２（図１参照）と接続され、ゲートドライバ１２により走査信号Ｖｓｃａｎ（図１参照）が供給される。また、Ｙ軸方向に配列された複数の副画素ＳＰｉｘ、すなわち液晶表示デバイス２０の同一の列に属する複数の副画素ＳＰｉｘは、信号線ＳＧＬにより互いに接続されている。信号線ＳＧＬは、ソースドライバ１３（図１参照）と接続され、ソースドライバ１３により画素信号Ｖｐｉｘ（図１参照）が供給される。さらに、Ｘ軸方向に配列された複数の副画素ＳＰｉｘ、すなわち液晶表示デバイス２０の同一の行に属する複数の副画素ＳＰｉｘは、駆動電極ＣＯＭＬにより互いに接続されている。
【００６１】
駆動電極ＣＯＭＬは、駆動電極ドライバ１４（図５参照）と接続され、駆動電極ドライバ１４により駆動信号Ｖｃｏｍ（図１参照）が供給される。つまり、図７に示す例では、同一の行に属する複数の副画素ＳＰｉｘが１個の駆動電極ＣＯＭＬを共有するようになっている。複数の駆動電極ＣＯＭＬは、表示領域Ａｄで、Ｘ軸方向にそれぞれ延在し、かつ、Ｙ軸方向に配列されている。前述したように、複数の走査線ＧＣＬは、表示領域Ａｄで、Ｘ軸方向にそれぞれ延在し、かつ、Ｙ軸方向に配列されているため、複数の駆動電極ＣＯＭＬの各々が延在する方向は、複数の走査線ＧＣＬの各々が延在する方向と平行である。ただし、複数の駆動電極ＣＯＭＬの各々が延在する方向は限定されず、例えば、複数の駆動電極ＣＯＭＬの各々が延在する方向は、複数の信号線ＳＧＬの各々が延在する方向と平行な方向であってもよい。
【００６２】
図１に示すゲートドライバ１２は、走査信号Ｖｓｃａｎを、図７に示す走査線ＧＣＬを介して、各副画素ＳＰｉｘのＴＦＴ素子Ｔｒのゲート電極に印加することにより、液晶表示デバイス２０においてマトリクス状に形成された副画素ＳＰｉｘのうちの１行、すなわち１水平ラインを表示駆動の対象として順次選択する。図１に示すソースドライバ１３は、画素信号Ｖｐｉｘを、図７に示す信号線ＳＧＬを介して、ゲートドライバ１２により順次選択される１水平ラインを構成する複数の副画素ＳＰｉｘにそれぞれ供給する。そして、１水平ラインを構成する複数の副画素ＳＰｉｘにおいて、供給される画素信号Ｖｐｉｘに応じた表示が行われる。
【００６３】
図１に示す駆動電極ドライバ１４は、駆動信号Ｖｃｏｍを印加し、１個または複数個の駆動電極ＣＯＭＬを含む駆動範囲ごとに駆動電極ＣＯＭＬを駆動する。
【００６４】
液晶表示デバイス２０においては、ゲートドライバ１２が走査線ＧＣＬを時分割的に順次走査するように駆動することにより、副画素ＳＰｉｘが、１水平ラインずつ順次選択される。また、液晶表示デバイス２０においては、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応した駆動範囲に含まれる駆動電極ＣＯＭＬに対して、駆動信号Ｖｃｏｍを供給する。
【００６５】
本実施の形態１の表示装置１における駆動電極ＣＯＭＬは、液晶表示デバイス２０の駆動電極として動作し、かつ、タッチ検出デバイス３０の駆動電極として動作する。図８は、実施の形態１の表示装置の駆動電極および検出電極の一構成例を示す斜視図である。
【００６６】
タッチ検出デバイス３０は、アレイ基板２に設けられた複数の駆動電極ＣＯＭＬと、対向基板３に設けられた複数の検出電極ＴＤＬとを有する。複数の検出電極ＴＤＬは、平面視において、複数の駆動電極ＣＯＭＬの各々が延在する方向と交差する方向にそれぞれ延在する。言い換えれば、複数の検出電極ＴＤＬは、平面視において複数の駆動電極ＣＯＭＬとそれぞれ交差するように、互いに間隔を空けて配列されている。そして、複数の検出電極ＴＤＬの各々は、アレイ基板２に含まれる基板２１の上面に垂直な方向において、複数の駆動電極ＣＯＭＬの各々と対向している。
【００６７】
言い換えれば、複数の駆動電極ＣＯＭＬは、平面視において画素群ＳＰｉｘＧ（図７参照）とそれぞれ重なる。また、複数の検出電極ＴＤＬは、平面視において画素群ＳＰｉｘＧ（図７参照）とそれぞれ重なる。
【００６８】
複数の検出電極ＴＤＬの各々は、タッチ検出部４０のタッチ検出信号増幅部４２（図１参照）にそれぞれ接続されている。複数の駆動電極ＣＯＭＬの各々と複数の検出電極ＴＤＬの各々との平面視における交差部には、静電容量が発生する。複数の駆動電極ＣＯＭＬの各々と複数の検出電極ＴＤＬの各々との間の静電容量に基づいて、入力位置が検出される。すなわち、タッチ検出部４０は、複数の駆動電極ＣＯＭＬと複数の検出電極ＴＤＬとの間の静電容量に基づいて入力位置を検出する。
【００６９】
このような構成により、タッチ検出デバイス３０では、タッチ検出動作を行う際、駆動電極ドライバ１４（図１参照）により、例えば１個または複数個の駆動電極ＣＯＭＬが順次選択される。そして、選択された１個または複数個の駆動電極ＣＯＭＬに対して、駆動信号Ｖｃｏｍｔが供給されて入力され、検出電極ＴＤＬから、入力位置を検出するための検出信号Ｖｄｅｔが発生して出力される。このようにタッチ検出デバイス３０では、選択される１個または複数個の駆動電極ＣＯＭＬが含まれる駆動範囲ごとにタッチ検出が行われるようになっている。１個の駆動範囲に含まれる１個または複数個の駆動電極ＣＯＭＬは、前述したタッチ検出の原理における駆動電極Ｅ１に対応し、検出電極ＴＤＬは、検出電極Ｅ２に対応している。
【００７０】
図８に示すように、平面視において、互いに交差した複数の駆動電極ＣＯＭＬと複数の検出電極ＴＤＬは、マトリクス状に配列された静電容量式タッチセンサを形成する。よって、タッチ検出デバイス３０のタッチ検出面全体を走査することにより、指などが接触または近接した位置を検出することが可能である。
【００７１】
図５および図６に示すように、対向基板３は、基板３１と、カラーフィルタ３２と、検出電極ＴＤＬと、偏光板３５とを有する。カラーフィルタ３２は、基板３１の下面に形成されている。検出電極ＴＤＬは、タッチ検出デバイス３０の検出電極であり、基板３１の他方の主面としての上面に形成されている。偏光板３５は、検出電極ＴＤＬ上に設けられている。
【００７２】
カラーフィルタ３２として、例えば赤（Ｒ）、緑（Ｇ）および青（Ｂ）の３色に着色されたカラーフィルタがＸ軸方向に配列される。これにより、図７に示すように、Ｒ、ＧおよびＢの３色の色領域３２Ｒ、３２Ｇおよび３２Ｂの各々にそれぞれ対応した複数の副画素ＳＰｉｘが形成され、１組の色領域３２Ｒ、３２Ｇおよび３２Ｂの各々にそれぞれ対応した複数の副画素ＳＰｉｘにより１個の画素Ｐｉｘが形成される。画素Ｐｉｘは、走査線ＧＣＬが延在する方向（Ｘ軸方向）、および、信号線ＳＧＬが延在する方向（Ｙ軸方向）に沿って、マトリクス状に配列されている。また、画素Ｐｉｘがマトリクス状に配列された領域が、例えば前述した表示領域Ａｄである。
【００７３】
カラーフィルタ３２の色の組み合わせとして、Ｒ、ＧおよびＢ以外の他の色を含む複数の色の組み合わせでもよい。また、カラーフィルタ３２は、設けられていなくてもよい。あるいは、１個の画素Ｐｉｘが、カラーフィルタ３２が設けられていない副画素ＳＰｉｘ、すなわち白色の副画素ＳＰｉｘを含んでもよい。
【００７４】
＜走査駆動動作＞
次に、図１、図９および図１０を参照し、走査駆動動作を説明する。
【００７５】
図９は、実施の形態１の表示装置における駆動電極の配置を示す平面図である。
【００７６】
図９に示すように、駆動電極ＣＯＭＬは、互いに等しい幅を有し、並設されている。駆動電極ドライバ１４は、Ｎ２（Ｎ２≧２）個の駆動電極ＣＯＭＬ（例えば駆動範囲Ａ１）を同時に駆動する。タッチ検出デバイス３０では、このＮ２個の駆動電極ＣＯＭＬに供給された駆動信号Ｖｃｏｍｔが、静電容量を介して検出電極ＴＤＬに伝わり、検出信号Ｖｄｅｔとして出力される。すなわち、このＮ２個の駆動電極ＣＯＭＬ（例えば駆動範囲Ａ１）に対応する領域が、タッチ検出面における、その時のタッチ検出領域となり、その領域の幅（タッチ検出幅Ｗ２）は、Ｎ２個の駆動電極ＣＯＭＬの幅に等しい。
【００７７】
なお、図９では、各駆動電極ＣＯＭＬのＹ軸方向における幅を幅Ｗ１とする。
【００７８】
駆動電極ドライバ１４は、駆動範囲Ａ１、Ａ２、Ａ３、Ａ４…ＡＮ４の順に、駆動電極ＣＯＭＬを時分割的に走査駆動する走査駆動動作を行う。各走査駆動動作では、Ｙ軸方向に連続して配置されたＮ２（Ｎ２≧２）個の駆動電極ＣＯＭＬを選択し、選択されたＮ２個の駆動電極ＣＯＭＬの各々に対して駆動信号を供給する。また、選択されるＮ２個の駆動電極ＣＯＭＬの各々を、Ｙ軸方向における負側にＮ３（Ｎ３≧２）個ずつずらしながら、走査駆動動作を複数回繰り返す。個数Ｎ３は、個数Ｎ２未満である。
【００７９】
以下では、図９に示すように、個数Ｎ２が３であり、個数Ｎ３が２である例について説明する。しかし、個数Ｎ２は３に限定されず、個数Ｎ３は２に限定されない。したがって、例えば個数Ｎ２が５であり、個数Ｎ３が４であってもよい。
【００８０】
図９に示す例では、駆動電極ドライバ１４は、駆動電極ＣＯＭＬを３個（タッチ検出幅Ｗ２）ずつ選択するが、選択される３個の駆動電極ＣＯＭＬの各々を２個（走査ピッチＷ３）ずつずらして走査する。走査ピッチＷ３は、互いに隣り合う駆動範囲（例えば駆動範囲Ａ１と駆動範囲Ａ２）が重なる部分の駆動電極ＣＯＭＬの個数により設定される。また、タッチ検出幅Ｗ２は、各駆動範囲における駆動電極ＣＯＭＬの個数により設定することができる。
【００８１】
走査ピッチＷ３は、タッチ位置を検出する際の位置分解能と相関がある。すなわち、一般に、走査ピッチＷ３を小さくすると、位置分解能を高くすることができる。一方、タッチ検出幅Ｗ２は、タッチに対する検出感度と相関がある。一般に、タッチ検出幅Ｗ２を大きくすると、検出感度を高くすることができる。これは、タッチ検出幅Ｗ２を大きくすることにより、その面積に応じて、タッチ検出幅Ｗ２に係る駆動電極ＣＯＭＬからの電気力線の本数が増加するためである。
【００８２】
本実施の形態１では、走査ピッチＷ３およびタッチ検出幅Ｗ２を独立して設定できるようにしたので、タッチ位置を検出する際の位置分解能と、タッチに対する検出感度とを独立して設定することができる。
【００８３】
例えば、検出感度を維持したまま、位置分解能を高くしたい場合には、タッチ検出幅Ｗ２を維持したまま走査ピッチＷ３を小さくすればよい。一方、例えば、位置分解能を維持したまま、検出感度を高くしたい場合には、走査ピッチＷ３を維持したままタッチ検出幅Ｗ２を大きくすればよい。また、例えば、位置分解能と検出感度の両方を高くしたい場合には、タッチ検出幅Ｗ２を大きくするとともに、走査ピッチＷ３を小さくすればよい。
【００８４】
図１０は、実施の形態１の表示装置における駆動信号および検出信号のタイミング波形例を表す図である。図１０（Ａ）は駆動信号Ｖｃｏｍｔの波形を示し、図１０（Ｂ）は検出信号Ｖｄｅｔの波形を示す。
【００８５】
駆動電極ドライバ１４は、駆動電極ＣＯＭＬに対して、複数のパルス波形を有する駆動信号Ｖｃｏｍｔを、駆動範囲ごとに時分割的に印加する（図１０（Ａ））。タッチ検出デバイス３０は、駆動信号Ｖｃｏｍｔに基づく信号を検出信号Ｖｄｅｔとして出力する（図１０（Ｂ））。そして、タッチ検出部４０は、各駆動範囲の検出信号Ｖｄｅｔを、それぞれ別々に解析して、タッチの有無およびタッチ位置などを検出する。矩形波すなわちパルス波形が印加されてない部分では、一定電位が印加され、電位が固定されることが好ましい。固定される電位は、グランド電位でもよく、グランド電位と異なる電位でもよい。
【００８６】
具体的には、期間Ｐ１において、駆動電極ドライバ１４は、駆動範囲Ａ１に含まれる駆動電極ＣＯＭＬに対して、複数のパルス波形を有する駆動信号Ｖｃｏｍｔを印加する（図１０（Ａ）のＶｃｏｍｔ（Ａ１））。タッチ検出デバイス３０では、駆動範囲Ａ１に係る駆動電極ＣＯＭＬと、検出電極ＴＤＬとの間の静電容量を介して、この駆動信号Ｖｃｏｍｔが検出電極ＴＤＬに伝わり、検出信号Ｖｄｅｔが変化する（図１０（Ｂ））。タッチ検出部４０のＡ／Ｄ変換部４３は、この検出信号Ｖｄｅｔが入力されたアナログＬＰＦ部４２の出力信号を、駆動信号Ｖｃｏｍｔの複数のパルス波形の遷移に対応したサンプリングタイミングｔｓでサンプリングし（図１０（Ｂ））、Ａ／Ｄ変換する。信号処理部４４は、この複数のＡ／Ｄ変換結果に基づいて、駆動範囲Ａ１に対応する領域におけるタッチの有無を求める。
【００８７】
期間Ｐ２以降においても、タッチ検出デバイス３０は、期間Ｐ１と同様にタッチ検出を行う。すなわち、例えば期間Ｐ２において、駆動電極ドライバ１４は、駆動範囲Ａ２に含まれる駆動電極ＣＯＭＬに対して、駆動信号Ｖｃｏｍｔを印加する（図１０（Ａ）のＶｃｏｍｔ（Ａ２））。タッチ検出デバイス３０では、駆動範囲Ａ２に含まれる駆動電極ＣＯＭＬと、検出電極ＴＤＬとの間の静電容量を介して、この駆動信号Ｖｃｏｍｔが検出電極ＴＤＬに伝わり、検出信号Ｖｄｅｔが変化する（図１０（Ｂ））。そして、Ａ／Ｄ変換部４３および信号処理部４４は、この検出信号Ｖｄｅｔに基づいて、駆動範囲Ａ２に対応する領域におけるタッチの有無を求める。
【００８８】
このように、タッチ検出面全面に対して上述した動作を行うことにより、信号処理部４４は、各駆動範囲に対応する領域におけるタッチの有無を別々に求める。そして、タッチ検出部４０の座標抽出部４５は、全ての駆動範囲におけるタッチ検出結果に基づいて、例えば、タッチが検出された複数の領域（位置）に対して重み平均などにより補間演算を行い、そのタッチ位置を検出する。
【００８９】
タッチ検出デバイス３０では、駆動電極ドライバ１４が、各駆動範囲に対して、複数のパルス波形を有する駆動信号Ｖｃｏｍｔを駆動電極ＣＯＭＬに供給する。そして、タッチ検出部４０のアナログＬＰＦ部４２、Ａ／Ｄ変換部４３、および信号処理部４４が、検出電極ＴＤＬから出力された検出信号Ｖｄｅｔに基づいて、その駆動範囲に対応する領域におけるタッチを検出している。すなわち、タッチ検出部４０は、各駆動範囲に対応する領域において、複数のサンプリング結果に基づいてタッチを検出している。これにより、例えば複数のデータを加算平均したり、ＦＩＲ等のローパスフィルタを用いるなど、サンプリング結果を統計的に解析することが可能となり、サンプリング結果のばらつきに起因するＳ／Ｎ比の劣化を最低限に抑えることができる。
【００９０】
タッチ検出デバイス３０では、１個の駆動範囲に対応する領域ごとに、駆動電極ドライバ１４が複数のパルス波形を有する駆動信号Ｖｃｏｍｔを駆動電極ＣＯＭＬに印加し、タッチ検出部４０のアナログＬＰＦ部４２、Ａ／Ｄ変換部４３、および信号処理部４４が、その領域ごとにタッチを検出している。また、駆動範囲ごとに、複数回駆動して検出したデータを、ローパスフィルタなどのアナログ回路部分により平均化処理してもよく、Ａ／Ｄ変換後に平均化処理してもよい。
【００９１】
本実施の形態１では、１個の駆動範囲に含まれ、Ｙ軸方向に連続して配置された複数の駆動電極ＣＯＭＬに供給される駆動信号Ｖｃｏｍｔの強度は互いに等しい。これにより、走査駆動動作を単純化することができる。
【００９２】
タッチ検出デバイス３０における駆動電極ＣＯＭＬの総数をＮ１とし、前述したように、１個の駆動範囲に含まれる駆動電極ＣＯＭＬの個数をＮ２とし、走査駆動動作ごとに選択される駆動電極ＣＯＭＬがずれる個数をＮ３とする。このような場合、自然数をｎとしたとき、好適には、Ｎ１＝Ｎ３×ｎ＋（Ｎ２−Ｎ３）を満たす。これにより、複数回繰り返される走査駆動動作のうち最後の走査駆動動作を行った後、Ｎ３個よりも少ない個数の駆動電極ＣＯＭＬが余ることがないので、余計な計算が不要となり、入力位置を計算する際のアルゴリズムを単純化することができる。
【００９３】
図１０に示すように、本実施の形態１では、駆動電極ドライバ１４は、駆動範囲Ａ１、Ａ２、Ａ３の順に、駆動電極ＣＯＭＬを時分割的に走査駆動する前に、期間ＰＳ１で、駆動範囲ＡＳ１において、複数の駆動電極ＣＯＭＬからなる配列の始端の駆動電極ＣＯＭＬに駆動信号を供給する。また、図１０では図示は省略するが、駆動電極ドライバ１４は、駆動電極ＣＯＭＬを時分割的に走査駆動した後に、期間ＰＥ１（後述する図１１参照）で、駆動範囲ＡＥ１（後述する図１１参照）において、複数の駆動電極ＣＯＭＬからなる配列の終端の駆動電極ＣＯＭＬに駆動信号を供給する。期間ＰＳ１および期間ＰＥ１における走査駆動動作の詳細については、後述する図１１を用いて説明する。
【００９４】
＜始端および終端の走査駆動動作を含めた全体の走査駆動動作＞
次に、図１および図１１〜図１３を参照し、始端および終端の走査駆動動作を含めた全体の走査駆動動作を説明する。
【００９５】
図１１は、実施の形態１の表示装置における走査駆動動作の一動作例を表す図である。図１１では、期間ＰＳ１、Ｐ１、Ｐ２、Ｐ３、ＰＮ４およびＰＥ１の各々において、複数の駆動電極ＣＯＭＬのうち、選択される駆動電極ＣＯＭＬにハッチングを付して示す。また、図１１では、駆動範囲Ａ１に含まれる３個の駆動電極ＣＯＭＬ１、ＣＯＭＬ２およびＣＯＭＬ３の各々の上で入力具が接触または近接した場合において、期間ＰＳ１、Ｐ１、Ｐ２およびＰ３の各々における検出信号の強度を模式的にグラフとして示す。
【００９６】
なお、本願明細書では、例えば駆動電極の上で入力具が接触または近接した、とは、駆動電極上に位置する部分のタッチパネルの検出面に入力具が接触または近接したことを意味する。
【００９７】
前述したように、走査駆動動作において、駆動電極ドライバ１４は、駆動電極ＣＯＭＬを、タッチ検出幅Ｗ２（図９参照）および走査ピッチＷ３（図９参照）で走査駆動する。図１１に示す例では、駆動電極ドライバ１４は、駆動電極ＣＯＭＬを３個（タッチ検出幅Ｗ２）ずつ選択するが、選択される３個の駆動電極ＣＯＭＬの各々を２個（走査ピッチＷ３）ずつずらして走査する。
【００９８】
図１１に示すように、駆動電極ドライバ１４は、期間ＰＳ１で、駆動範囲Ａ１において、最も外側の駆動電極である駆動電極ＣＯＭＬ１に駆動信号を供給する走査駆動動作（始端の走査駆動動作）ＤＳ１を行う。具体的には、期間ＰＳ１で、駆動電極ドライバ１４は、複数の駆動電極ＣＯＭＬからなる配列ＣＡ１のＹ軸方向における正側の端部に配置された駆動電極ＣＯＭＬ１に対して駆動信号を供給する走査駆動動作ＤＳ１を行う。走査駆動動作ＤＳ１における駆動範囲ＡＳ１は、駆動電極ＣＯＭＬ１からなる。
【００９９】
期間ＰＳ１における検出信号の強度は、駆動電極ＣＯＭＬ１の上で入力具が接触または近接した場合（ＣＡＳＥ１）が最も強く、駆動電極ＣＯＭＬ２の上で入力具が接触または近接した場合（ＣＡＳＥ２）が次に強く、駆動電極ＣＯＭＬ３の上で入力具が接触または近接した場合（ＣＡＳＥ３）が最も弱く略０に等しい。
【０１００】
次に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。具体的には、駆動電極ドライバ１４は、走査駆動動作Ｄ１、Ｄ２、Ｄ３・・・ＤＮ４（Ｎ４≧２）を行う。各走査駆動動作では、複数の駆動電極ＣＯＭＬから、Ｙ軸方向に連続して配置された３個の駆動電極ＣＯＭＬを選択する。そして、選択された３個の駆動電極ＣＯＭＬからなる配列ＣＡ２に含まれる駆動電極ＣＯＭＬに対して駆動信号を供給する。また、駆動電極ドライバ１４は、選択される３個の駆動電極ＣＯＭＬの各々を、Ｙ軸方向における正側と反対側、すなわち負側に２個ずつずらしながら、走査駆動動作をＮ４（Ｎ４≧２）回、すなわち複数回繰り返す。
【０１０１】
このとき、各走査駆動動作において、選択された３個の駆動電極ＣＯＭＬからなる配列ＣＡ２に含まれる駆動電極ＣＯＭＬの全てに対して、互いに等しい強度を有する駆動信号が供給される。
【０１０２】
駆動電極ＣＯＭＬ１の上で入力具が接触または近接した場合（ＣＡＳＥ１）、期間Ｐ１における検出信号の強度は、期間ＰＳ１における検出信号の強度よりも増加し、期間Ｐ２における検出信号の強度は略０に減少する。駆動電極ＣＯＭＬ２の上で入力具が接触または近接した場合（ＣＡＳＥ２）、期間Ｐ１における検出信号の強度は、期間ＰＳ１における検出信号の強度よりも増加し、期間Ｐ１、Ｐ２、Ｐ３の順に検出信号の強度が徐々に減少し、期間Ｐ３における検出信号の強度は略０になる。駆動電極ＣＯＭＬ３の上で入力具が接触または近接した場合（ＣＡＳＥ３）、期間Ｐ１における検出信号の強度は、期間ＰＳ１における検出信号の強度よりも増加し、期間Ｐ２における検出信号の強度は、期間Ｐ１における検出信号の強度と略等しく、期間Ｐ３における検出信号の強度は略０に減少する。
【０１０３】
図１１に示す例では、走査ピッチＷ３（図９参照）がタッチ検出幅Ｗ２（図９参照）よりも小さいので、駆動範囲に含まれる駆動電極ＣＯＭＬからなる配列ＣＡ２の走査方向（Ｙ軸方向）における端部に配置された駆動電極ＣＯＭＬの上で入力具が接触または近接した場合でも、検出信号の強度を強くすることができる。
【０１０４】
また、図１１に示す例では、期間ＰＳ１において、駆動範囲Ａ１よりも狭い駆動範囲ＡＳ１で駆動電極ＣＯＭＬ１に駆動信号が供給されるので、複数の駆動電極ＣＯＭＬからなる配列ＣＡ１の始端の周辺で、タッチ位置を検出する際の位置分解能を向上させ、タッチに対する検出感度を向上させることができる。
【０１０５】
その後、駆動電極ドライバ１４は、期間ＰＥ１で、駆動範囲ＡＮ４（Ｎ４≧２）において、最も外側の駆動電極ＣＯＭＬに駆動信号を供給する走査駆動動作（終端の走査駆動動作）ＤＥ１を行う。具体的には、期間ＰＥ１で、駆動電極ドライバ１４は、複数の駆動電極ＣＯＭＬからなる配列ＣＡ１のＹ軸方向における負側の端部に配置された駆動電極ＣＯＭＬに対して駆動信号を供給する走査駆動動作ＤＥ１を行う。走査駆動動作ＤＥ１における駆動範囲ＡＥ１は、配列ＣＡ１のＹ軸方向における負側の端部に配置された駆動電極ＣＯＭＬからなる。
【０１０６】
図１１に示す例では、期間ＰＥ１において、駆動範囲ＡＮ４よりも狭い駆動範囲ＡＥ１で駆動電極ＣＯＭＬに駆動信号が供給されるので、複数の駆動電極ＣＯＭＬからなる配列ＣＡ１の終端の周辺で、タッチ位置を検出する際の位置分解能を向上させ、タッチに対する検出感度を向上させることができる。
【０１０７】
図１２は、実施の形態１の表示装置における走査駆動動作の他の動作例を表す図である。図１２では、期間ＰＳ２、Ｐ１、Ｐ２、Ｐ３、ＰＮ４およびＰＥ２の各々において、複数の駆動電極ＣＯＭＬのうち、選択される駆動電極ＣＯＭＬにハッチングを付して示す。また、図１２では、駆動範囲Ａ１に含まれる３個の駆動電極ＣＯＭＬ１、ＣＯＭＬ２およびＣＯＭＬ３の各々の上で入力具が接触または近接した場合において、期間ＰＳ２、Ｐ１、Ｐ２およびＰ３の各々における検出信号の強度を模式的にグラフとして示す。
【０１０８】
図１２に示すように、駆動電極ドライバ１４は、期間ＰＳ２で、駆動範囲Ａ１において、最も外側の２つの駆動電極である駆動電極ＣＯＭＬ１およびＣＯＭＬ２に駆動信号を供給する走査駆動動作（始端の走査駆動動作）ＤＳ２を行う。具体的には、期間ＰＳ２で、駆動電極ドライバ１４は、複数の駆動電極ＣＯＭＬからなる配列ＣＡ１のＹ軸方向における正側の端部に配置された駆動電極ＣＯＭＬ１およびＣＯＭＬ２に対して駆動信号を供給する走査駆動動作ＤＳ２を行う。走査駆動動作ＤＳ２における駆動範囲ＡＳ２は、駆動電極ＣＯＭＬ１およびＣＯＭＬ２からなる。
【０１０９】
すなわち、始端の走査駆動動作ＤＳ２において、駆動電極ドライバ１４は、駆動電極ＣＯＭＬ１を含み、Ｙ軸方向に連続して配置された２以上のＮＳ個の駆動電極ＣＯＭＬの各々に対して駆動信号を供給する。個数ＮＳは、走査駆動動作Ｄ１、Ｄ２、Ｄ３・・・ＤＮ４（Ｎ４≧２）の各々において選択される駆動電極ＣＯＭＬの個数Ｎ２未満である。
【０１１０】
期間ＰＳ２における検出信号の強度は、駆動電極ＣＯＭＬ１の上で入力具が接触または近接した場合（ＣＡＳＥ１）、および、駆動電極ＣＯＭＬ２の上で入力具が接触または近接した場合（ＣＡＳＥ２）が最も強く互いに等しく、駆動電極ＣＯＭＬ３の上で入力具が接触または近接した場合（ＣＡＳＥ３）が最も弱い。
【０１１１】
次に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。具体的には、駆動電極ドライバ１４は、走査駆動動作Ｄ１、Ｄ２、Ｄ３・・・ＤＮ４（Ｎ４≧２）を行う。各走査駆動動作では、複数の駆動電極ＣＯＭＬから、Ｙ軸方向に連続して配置された３個の駆動電極ＣＯＭＬを選択する。そして、選択された３個の駆動電極ＣＯＭＬからなる配列ＣＡ２に含まれる駆動電極ＣＯＭＬに対して駆動信号を供給する。また、駆動電極ドライバ１４は、選択される３個の駆動電極ＣＯＭＬの各々を、Ｙ軸方向における正側と反対側、すなわち負側に２個ずつずらしながら、走査駆動動作をＮ４（Ｎ４≧２）回、すなわち複数回繰り返す。
【０１１２】
駆動電極ＣＯＭＬ１の上で入力具が接触または近接した場合（ＣＡＳＥ１）、期間Ｐ１における検出信号の強度は、期間ＰＳ２における検出信号の強度と略等しく、期間Ｐ２における検出信号の強度は略０に減少する。駆動電極ＣＯＭＬ２の上で入力具が接触または近接した場合（ＣＡＳＥ２）、期間Ｐ１における検出信号の強度は、期間ＰＳ２における検出信号の強度よりも増加し、期間Ｐ１、Ｐ２、Ｐ３の順に検出信号の強度が徐々に減少し、期間Ｐ３における検出信号の強度は略０になる。駆動電極ＣＯＭＬ３の上で入力具が接触または近接した場合（ＣＡＳＥ３）、期間Ｐ１における検出信号の強度は、期間ＰＳ２における検出信号の強度よりも増加し、期間Ｐ２における検出信号の強度は、期間Ｐ１における検出信号の強度と略等しく、期間Ｐ３における検出信号の強度は略０に減少する。
【０１１３】
図１２に示す例でも、図１１に示す例と同様に、走査ピッチＷ３（図９参照）がタッチ検出幅Ｗ２（図９参照）よりも小さいので、配列ＣＡ２の走査方向（Ｙ軸方向）における端部に配置された駆動電極ＣＯＭＬの上で入力具が接触または近接した場合でも、検出信号の強度を強くすることができる。
【０１１４】
また、図１２に示す例では、期間ＰＳ２において、駆動範囲Ａ１よりも狭い駆動範囲ＡＳ２で駆動電極ＣＯＭＬ１およびＣＯＭＬ２の各々に駆動信号が供給される。これにより、複数の駆動電極ＣＯＭＬからなる配列ＣＡ１の始端の周辺で、タッチ位置を検出する際の位置分解能を向上させ、タッチに対する検出感度を向上させることができる。
【０１１５】
その後、駆動電極ドライバ１４は、期間ＰＥ２で、駆動範囲ＡＮ４（Ｎ４≧２）において、最も外側の２つの駆動電極ＣＯＭＬに駆動信号を供給する走査駆動動作（終端の走査駆動動作）ＤＥ２を行う。具体的には、期間ＰＥ２で、駆動電極ドライバ１４は、複数の駆動電極ＣＯＭＬからなる配列ＣＡ１のＹ軸方向における負側の端部に配置された２つの駆動電極ＣＯＭＬの各々に対して駆動信号を供給する走査駆動動作ＤＥ２を行う。走査駆動動作ＤＥ２における駆動範囲ＡＥ２は、配列ＣＡ１のＹ軸方向における負側の端部に配置された２つの駆動電極ＣＯＭＬからなる。
【０１１６】
すなわち、終端の走査駆動動作ＤＥ２において、駆動電極ドライバ１４は、配列ＣＡ１のＹ軸方向における負側の端部に配置された駆動電極ＣＯＭＬを含み、Ｙ軸方向に連続して配置された２以上のＮＥ個の駆動電極ＣＯＭＬの各々に対して駆動信号を供給する。個数ＮＥは、個数Ｎ２未満である。
【０１１７】
終端の走査駆動動作ＤＥ２を行うことにより、期間ＰＥ２において、駆動範囲ＡＮ４よりも狭い駆動範囲ＡＥ２で２つの駆動電極ＣＯＭＬの各々に駆動信号が供給される。これにより、複数の駆動電極ＣＯＭＬからなる配列ＣＡ１の終端の周辺で、タッチ位置を検出する際の位置分解能を向上させ、タッチに対する検出感度を向上させることができる。
【０１１８】
図１３は、実施の形態１の表示装置における走査駆動動作のさらに他の動作例を表す図である。図１３では、期間ＰＳ１、ＰＳ２、Ｐ１、Ｐ２、Ｐ３、ＰＮ４、ＰＥ２およびＰＥ１の各々において、複数の駆動電極ＣＯＭＬのうち、選択される駆動電極ＣＯＭＬにハッチングを付して示す。また、図１３では、駆動範囲Ａ１に含まれる３個の駆動電極ＣＯＭＬ１、ＣＯＭＬ２およびＣＯＭＬ３の各々の上で入力具が接触または近接した場合において、期間ＰＳ１、ＰＳ２、Ｐ１、Ｐ２およびＰ３の各々における検出信号の強度を模式的にグラフとして示す。
【０１１９】
図１３に示すように、駆動電極ドライバ１４は、期間ＰＳ１で、駆動範囲Ａ１において、最も外側の駆動電極である駆動電極ＣＯＭＬ１に駆動信号を供給する走査駆動動作（始端の走査駆動動作）ＤＳ１を行う。次に、駆動電極ドライバ１４は、期間ＰＳ２で、駆動範囲Ａ１において、最も外側の２つの駆動電極である駆動電極ＣＯＭＬ１およびＣＯＭＬ２に駆動信号を供給する走査駆動動作（始端の走査駆動動作）ＤＳ２を行う。次に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。
【０１２０】
すなわち、始端の走査駆動動作ＤＳ２において、駆動電極ドライバ１４は、駆動電極ＣＯＭＬ１を含み、Ｙ軸方向に連続して配置された２以上のＮＳ個の駆動電極ＣＯＭＬの各々に対して駆動信号を供給する。個数ＮＳは、個数Ｎ２未満である。
【０１２１】
駆動電極ＣＯＭＬ１の上で入力具が接触または近接した場合（ＣＡＳＥ１）、期間ＰＳ２における検出信号の強度は、期間ＰＳ１における検出信号の強度よりも増加し、期間Ｐ１における検出信号の強度は、期間ＰＳ２における検出信号の強度と略等しく、期間Ｐ２における検出信号の強度は略０に減少する。駆動電極ＣＯＭＬ２の上で入力具が接触または近接した場合（ＣＡＳＥ２）、期間ＰＳ１、ＰＳ２、Ｐ１の順に検出信号の強度が徐々に増加し、期間Ｐ１、Ｐ２、Ｐ３の順に検出信号の強度が徐々に減少し、期間Ｐ３における検出信号の強度は略０になる。駆動電極ＣＯＭＬ３の上で入力具が接触または近接した場合（ＣＡＳＥ３）、期間ＰＳ１における検出信号の強度は略０であり、期間ＰＳ１、ＰＳ２、Ｐ１の順に検出信号の強度が徐々に増加し、期間Ｐ２における検出信号の強度は、期間Ｐ１における検出信号の強度と等しく、期間Ｐ３における検出信号の強度は略０に減少する。
【０１２２】
図１３に示す例でも、走査駆動動作Ｄ１、Ｄ２、Ｄ３・・・ＤＮ４を行うことにより、駆動範囲に含まれる駆動電極ＣＯＭＬからなる配列ＣＡ２の走査方向（Ｙ軸方向）における端部に配置された駆動電極ＣＯＭＬの上で入力具が接触または近接した場合でも、検出信号の強度を強くすることができる。また、図１３に示す例でも、始端の走査駆動動作ＤＳ１およびＤＳ２を行うことにより、複数の駆動電極ＣＯＭＬからなる配列ＣＡ１の始端の周辺で、タッチ位置を検出する際の位置分解能を向上させ、タッチに対する検出感度を向上させることができる。
【０１２３】
その後、駆動電極ドライバ１４は、期間ＰＥ２で、駆動範囲ＡＮ４（Ｎ４≧２）において、最も外側の２つの駆動電極ＣＯＭＬに駆動信号を供給する走査駆動動作（終端の走査駆動動作）ＤＥ２を行う。次に、駆動電極ドライバ１４は、期間ＰＥ１で、駆動範囲ＡＮ４において、最も外側の駆動電極ＣＯＭＬに駆動信号を供給する走査駆動動作（終端の走査駆動動作）ＤＥ１を行う。
【０１２４】
すなわち、終端の走査駆動動作ＤＥ２において、駆動電極ドライバ１４は、配列ＣＡ１のＹ軸方向における負側の端部に配置された駆動電極ＣＯＭＬを含み、Ｙ軸方向に連続して配置された２以上のＮＥ個の駆動電極ＣＯＭＬの各々に対して駆動信号を供給する。個数ＮＥは、個数Ｎ２未満である。
【０１２５】
図１３に示す例でも、終端の走査駆動動作ＤＥ２およびＤＥ１を行うことにより、期間ＰＥ２およびＰＥ１において、複数の駆動電極ＣＯＭＬからなる配列ＣＡ１の終端の周辺で、タッチ位置を検出する際の位置分解能を向上させ、タッチに対する検出感度を向上させることができる。
【０１２６】
＜駆動範囲の端部における検出信号の強度＞
次に、駆動範囲の端部の上で入力具が接触または近接した場合における検出信号の強度について、比較例１と対比しながら説明する。
【０１２７】
図１４は、比較例１の表示装置における走査駆動動作を拡大して表す図である。図１５は、実施の形態１の表示装置における走査駆動動作を拡大して表す図である。図１４および図１５では、ある駆動範囲Ａｋ（ｋは１よりも大きくＮ４未満の自然数）、および、その駆動範囲の前後の駆動範囲Ａｋ−１およびＡｋ＋１の３つの駆動範囲に含まれる駆動電極ＣＯＭＬを示す。
【０１２８】
図１４では、駆動範囲Ａｋ−１と駆動範囲Ａｋとの境界部、駆動範囲Ａｋの中央部、および、駆動範囲Ａｋと駆動範囲Ａｋ＋１との境界部で入力具が接触または近接した場合において、駆動範囲Ａｋ−１、ＡｋおよびＡｋ＋１の各々における検出信号の強度を模式的にグラフとして示す。
【０１２９】
図１４に示すように、比較例１では、隣り合う２つの駆動範囲は、互いに重なっていない。そのため、入力具がある駆動範囲の境界部で接触または近接した場合には、その入力具は、その駆動範囲と隣り合う駆動範囲の境界部に接触または近接することになる。また、比較例１における駆動範囲のＹ軸方向における幅（タッチ検出幅Ｗ１０２）を４ｍｍとし、ピッチ（走査ピッチＷ１０３）を４ｍｍとする。比較例１において検出される入力位置の位置分解能は、ピッチ４ｍｍに対応した位置分解能となる。
【０１３０】
図１４に示すように、比較例１では、駆動範囲Ａｋ−１と駆動範囲Ａｋとの境界部で入力具が接触または近接した場合（ＣＡＳＥｋ１０１）、駆動範囲Ａｋ＋１における検出信号の強度は略０であり、駆動範囲Ａｋ−１における検出信号の強度、および、駆動範囲Ａｋにおける検出信号の強度は、互いに略等しいが、あまり強くない。駆動範囲Ａｋの中央部で入力具が接触または近接した場合（ＣＡＳＥｋ１０２）、駆動範囲Ａｋにおける検出信号の強度は、駆動範囲Ａｋ−１およびＡｋ＋１のいずれにおける検出信号の強度よりも強く、駆動範囲Ａｋ−１における検出信号の強度、および、駆動範囲Ａｋ＋１における検出信号の強度は、互いに略等しい。駆動範囲Ａｋ＋１で入力具が接触または近接した場合（ＣＡＳＥｋ１０３）、駆動範囲Ａｋ−１における検出信号の強度は略０であり、駆動範囲Ａｋにおける検出信号の強度、および、駆動範囲Ａｋ＋１における検出信号の強度は、互いに略等しいが、あまり強くない。
【０１３１】
ここで、駆動範囲Ａｋ−１と駆動範囲Ａｋとの境界部で入力具が接触または近接した場合（ＣＡＳＥｋ１０１）、駆動範囲Ａｋ−１と駆動範囲Ａｋのいずれにおける検出信号の強度も弱い。また、駆動範囲Ａｋと駆動範囲Ａｋ＋１との境界部で入力具が接触または近接した場合（ＣＡＳＥｋ１０３）、駆動範囲Ａｋと駆動範囲Ａｋ＋１のいずれにおける検出信号の強度も弱い。したがって、ある駆動範囲の境界部で入力具が接触または近接した場合、検出感度が低下し、その結果、検出される入力位置の位置分解能が低下する。
【０１３２】
入力具が例えば細いスタイラスペンの先端であるか、あるいは、手袋を装着した指である場合には、駆動範囲の中央部で入力具が接触または近接した場合であっても、検出信号が小さくなる。このような場合には、上記した駆動範囲の境界部で入力具が接触または近接した場合の検出感度の低下、および、位置分解能の低下の問題が顕著になる。
【０１３３】
また、図１４に示すように、入力具が接触または近接する位置が、隣り合う２つの駆動範囲の境界部であって、かつ、隣り合う２つの検出電極ＴＤＬの中間に位置する場合には、検出信号の強度がさらに弱くなるので、上記した検出感度の低下、および、位置分解能の低下の問題がさらに顕著になる。
【０１３４】
一方、図１５に示すように、本実施の形態１では、隣り合う２つの駆動範囲は、互いに重なっている。そのため、入力具がある駆動範囲の境界部で接触または近接した場合でも、その入力具は、その駆動範囲と隣り合う駆動範囲の境界部よりも中央部側の部分で接触または近接することになる。また、本実施の形態１の駆動範囲のＹ軸方向における幅（タッチ検出幅Ｗ２）を６ｍｍとし、駆動範囲のピッチ（走査ピッチＷ３）を４ｍｍとする。このような場合、本実施の形態１において検出される入力位置の位置分解能は、ピッチ４ｍｍに対応した位置分解能となり、比較例１において検出される入力位置の位置分解能に相当する。
【０１３５】
図１５では、駆動範囲Ａｋ−１と駆動範囲Ａｋとの間で共通の駆動電極ＣＯＭＬ、駆動範囲Ａｋの中央部、および、駆動範囲Ａｋと駆動範囲Ａｋ＋１との間で共通の駆動電極ＣＯＭＬの上で入力具が接触または近接した場合において、駆動範囲Ａｋ−１、ＡｋおよびＡｋ＋１の各々における検出信号の強度を模式的にグラフとして示す。
【０１３６】
本実施の形態１では、駆動範囲Ａｋ−１と駆動範囲Ａｋとの間で共通の駆動電極ＣＯＭＬの上で入力具が接触または近接した場合（ＣＡＳＥｋ１）、駆動範囲Ａｋ＋１における検出信号の強度は略０であり、駆動範囲Ａｋ−１およびＡｋにおける検出信号の強度は、互いに略等しく、かつ、比較例１に比べて強い。駆動範囲Ａｋの中央部で入力具が接触または近接した場合（ＣＡＳＥｋ２）、駆動範囲Ａｋにおける検出信号の強度は、駆動範囲Ａｋ−１およびＡｋ＋１のいずれにおける検出信号の強度よりも強く、駆動範囲Ａｋ−１における検出信号の強度、および、駆動範囲Ａｋ＋１における検出信号の強度は、互いに略等しい。駆動範囲Ａｋと駆動範囲Ａｋ＋１との間で共通の駆動電極ＣＯＭＬの上で入力具が接触または近接した場合（ＣＡＳＥｋ３）、駆動範囲Ａｋ−１における検出信号の強度は略０であり、駆動範囲Ａｋにおける検出信号の強度、および、駆動範囲Ａｋ＋１における検出信号の強度は、互いに略等しく、かつ、比較例１に比べて強い。
【０１３７】
したがって、本実施の形態１では、入力具が駆動範囲の境界部で接触または近接した場合でも、検出感度を向上させ、その結果、検出される入力位置の位置分解能を向上させることができる。
【０１３８】
入力具が例えば細いスタイラスペンの先端であるか、あるいは、手袋を装着した指である場合であって、入力具が駆動範囲のいずれの部分で接触または近接した場合でも、検出感度を向上させ、位置分解能を向上させることができる。
【０１３９】
また、図１５に示すように、入力具が接触または近接する位置が、隣り合う２つの検出電極ＴＤＬの中間に位置する場合でも、検出信号の強度を強くすることができ、検出感度を向上させ、位置分解能を向上させることができる。
【０１４０】
検出信号の強度が、入力具として直径９ｍｍの導電材からなる円柱を接触させた場合の検出信号の強度を１００％としたときの比率により表されるものとする。このような場合であって、入力具が接触または近接する位置が、駆動範囲の境界部で、かつ、隣り合う２つの検出電極ＴＤＬの中間に位置するときは、比較例１で８％である検出信号の強度が、本実施の形態１では２５％になり、２．７倍に増加する。なお、入力具が接触または近接する位置が、駆動範囲の中央部で、かつ、検出電極ＴＤＬ上に位置するときも、駆動範囲に含まれる駆動電極の数が異なることにより、比較例１で２０％である検出信号の強度が、本実施の形態１では４０％になり、２．０倍に増加するが、この２．０倍の倍率は、上記した２．７倍の倍率よりも小さい。したがって、本実施の形態１の表示装置が、駆動範囲の境界部で入力具が接触または近接した場合の検出感度を向上させる効果を有することは、明らかである。
【０１４１】
＜始端および終端の走査駆動動作＞
次に、始端および終端の走査駆動動作について、比較例２と対比しながら説明する。
【０１４２】
図１６は、比較例２の表示装置における走査駆動動作の一動作例を表す図である。図１６では、期間Ｐ１、Ｐ２、Ｐ３およびＰＮ４の各々において、複数の駆動電極ＣＯＭＬのうち、選択される駆動電極ＣＯＭＬにハッチングを付して示す。また、図１６では、駆動範囲Ａ１に含まれる３個の駆動電極ＣＯＭＬ１、ＣＯＭＬ２およびＣＯＭＬ３の各々の上で入力具が接触または近接した場合において、期間Ｐ１、Ｐ２およびＰ３の各々における検出信号の強度を模式的にグラフとして示す。
【０１４３】
図１６に示すように、比較例２では、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。具体的には、駆動電極ドライバ１４は、走査駆動動作Ｄ１、Ｄ２、Ｄ３・・・ＤＮ４（Ｎ４≧２）を行う。すなわち、図１１を用いて説明したのと同様に、走査駆動動作を複数回繰り返す。
【０１４４】
駆動電極ＣＯＭＬ１の上で入力具が接触または近接した場合（ＣＡＳＥ１０１）、期間Ｐ２における検出信号の強度は、期間Ｐ１における検出信号の強度よりも減少し、略０になる。駆動電極ＣＯＭＬ２の上で入力具が接触または近接した場合（ＣＡＳＥ１０２）、期間Ｐ１、Ｐ２、Ｐ３の順に検出信号が徐々に減少し、期間Ｐ３における検出信号の強度は略０になる。駆動電極ＣＯＭＬ３の上で入力具が接触または近接した場合（ＣＡＳＥ１０３）、期間Ｐ２における検出信号の強度は、期間Ｐ１における検出信号の強度と略等しく、期間Ｐ３における検出信号の強度は略０に減少する。
【０１４５】
比較例２では、駆動電極ＣＯＭＬ１の上で入力具が接触または近接した場合（ＣＡＳＥ１０１）、ある程度強い強度の検出信号が検出される期間は、期間Ｐ１に限られる。すなわち、駆動電極ＣＯＭＬ１が含まれる走査駆動動作の数は、配列ＣＡ１の中央部に配置された駆動電極ＣＯＭＬが含まれる走査駆動動作の数よりも少ない。したがって、入力位置を演算により求める際の情報が少なくなるので、駆動電極ＣＯＭＬ１の上で入力具が接触または近接した場合（ＣＡＳＥ１０１）の感度および位置分解能は、例えば駆動電極ＣＯＭＬ２よりも配列ＣＡ１の中央部側に配置された駆動電極ＣＯＭＬの上で入力具が接触または近接した場合に比べて、低下する。
【０１４６】
あるいは、比較例２では、駆動電極ＣＯＭＬ２の上で入力具が接触または近接した場合（ＣＡＳＥ１０２）、ある程度強い強度の検出信号が検出される期間は、期間Ｐ１に限られる。すなわち、駆動電極ＣＯＭＬ２が含まれる走査駆動動作の数は、配列ＣＡ１の中央部に配置された駆動電極ＣＯＭＬが含まれる走査駆動動作の数よりも少ない。したがって、入力位置を演算により求める際の情報が少なくなるので、駆動電極ＣＯＭＬ２の上で入力具が接触または近接した場合（ＣＡＳＥ１０２）の感度および位置分解能は、例えば駆動電極ＣＯＭＬ２よりも配列ＣＡ１の中央部側に配置された駆動電極ＣＯＭＬの上で入力具が接触または近接した場合に比べて、低下する。
【０１４７】
一方、本実施の形態１では、図１１を用いて説明したように、始端の走査駆動動作ＤＳ１を行うことができる。駆動電極ＣＯＭＬ１の上で入力具が接触または近接した場合（ＣＡＳＥ１）、期間Ｐ１のみならず、期間ＰＳ１においても、ある程度強い強度の検出信号が検出される。これにより、入力位置を演算により求める際の情報が多くなるので、駆動電極ＣＯＭＬ１の上で入力具が接触または近接した場合（ＣＡＳＥ１）の感度および位置分解能は、例えば駆動電極ＣＯＭＬ２よりも配列ＣＡ１の中央部側に配置された駆動電極ＣＯＭＬの上で入力具が接触または近接した場合と同様に、向上する。
【０１４８】
また、本実施の形態１では、図１２を用いて説明したように、始端の走査駆動動作ＤＳ２を行うことができる。駆動電極ＣＯＭＬ１またはＣＯＭＬ２の上で入力具が接触または近接した場合、期間Ｐ１のみならず、期間ＰＳ２においても、ある程度強い強度の検出信号が検出される。これにより、入力位置を演算により求める際の情報が多くなるので、駆動電極ＣＯＭＬ１またはＣＯＭＬ２の上で入力具が接触または近接した場合の感度および位置分解能は、例えば駆動電極ＣＯＭＬ２よりも配列ＣＡ１の中央部側に配置された駆動電極ＣＯＭＬの上で入力具が接触または近接した場合と同様に、向上する。
【０１４９】
すなわち、本実施の形態１では、駆動範囲の境界部、および、表示領域Ａｄ（図５参照）の端部のいずれにおいて入力具が接触または近接した場合でも、検出感度および位置分解能を向上させることができる。
【０１５０】
ただし、図１２を用いて説明した例では、駆動電極ＣＯＭＬ２の上で入力具が接触または近接した場合（ＣＡＳＥ２）の期間ＰＳ２における検出信号の強度は、駆動電極ＣＯＭＬ１の上で入力具が接触または近接した場合（ＣＡＳＥ１）の期間ＰＳ２における検出信号の強度と略等しい。一方、図１１を用いて説明した例では、駆動電極ＣＯＭＬ２の上で入力具が接触または近接した場合（ＣＡＳＥ２）の期間ＰＳ１における検出信号の強度は、駆動電極ＣＯＭＬ１の上で入力具が接触または近接した場合（ＣＡＳＥ１）の期間ＰＳ１における検出信号の強度と異なる。このように、始端の走査駆動動作ＤＳ２のみを行うよりも、始端の走査駆動動作ＤＳ１のみを行う方が、駆動電極ＣＯＭＬ１、ＣＯＭＬ２およびＣＯＭＬ３の各々の上で入力具がそれぞれ接触または近接した場合の間での情報の差が大きくなり、感度および位置分解能を向上させる上で有利である。
【０１５１】
さらに、図１３を用いて説明した例では、始端の走査駆動動作ＤＳ１およびＤＳ２のいずれも行うことができる。これにより、始端の走査駆動動作ＤＳ１のみを行う場合に比べ、入力位置を演算により求める際の情報がさらに多くなるので、駆動電極ＣＯＭＬ１またはＣＯＭＬ２の上で入力具が接触または近接した場合の感度および位置分解能が、さらに向上する。
【０１５２】
ただし、図１３を用いて説明した例では、始端の走査駆動動作ＤＳ１およびＤＳ２のいずれも行うため、図１１を用いて説明した例、および、図１２を用いて説明した例のいずれに比べても、走査駆動動作の回数は増加する。
【０１５３】
＜入力位置の演算方法＞
次に、入力位置の演算方法を説明する。図１７は、実施の形態１の表示装置における入力位置の演算方法を説明するための図である。図１７の左側では、上から下に向かって順に、駆動範囲Ａ１、Ａ２およびＡ３の各々の中央部で入力具が接触または近接した場合の入力具の実際の位置を示す。図１７の右側では、上から下に向かって順に、駆動範囲Ａ１、Ａ２、Ａ３の各々の中央部で入力具が接触または近接した場合の入力具の演算された位置を示す。
【０１５４】
本実施の形態１では、隣り合う２つの駆動範囲が重なっており、駆動範囲Ａ１、Ａ２およびＡ３の各々の幅（タッチ検出幅Ｗ２）が、ピッチ（走査ピッチＷ３）よりも大きい。このような場合、比較例１として図１４に示したように、隣り合う２つの駆動範囲が重なっておらず、タッチ検出幅Ｗ１０２、および、走査ピッチＷ１０３のいずれも本実施の形態１における走査ピッチＷ３と等しい場合における、入力位置を演算するためのアルゴリズムを用いることができる。これにより、本実施の形態１のように隣り合う駆動範囲が重なっている場合でも、比較例１のように隣り合う駆動範囲が重なっていない場合の単純なアルゴリズムを用いて入力位置を演算することができる。
【０１５５】
図１７に示す例では、本実施の形態１では、駆動範囲Ａ１、Ａ２およびＡ３の各々のタッチ検出幅Ｗ２が６ｍｍであり、走査ピッチＷ３が４ｍｍである。一方、本実施の形態１では、比較例１と同様に、駆動範囲Ａ１、Ａ２およびＡ３のタッチ検出幅Ｗ１０２が４ｍｍであり、走査ピッチＷ１０３が４ｍｍである場合における、入力位置を演算するためのアルゴリズムを用いることができる。
【０１５６】
ただし、本実施の形態１における入力位置の演算方法として比較例１における入力位置の演算方法を用いる場合には、図１７に示すように、演算された位置は、実際の位置に対して、駆動電極ＣＯＭＬからなる配列ＣＡ１（例えば図１１参照）の配列方向であるＹ軸方向に、ずれている。そのずれ量ＳＦＴは、タッチ検出幅Ｗ２および走査ピッチＷ３を用いて、（Ｗ２−Ｗ３）／２により表される。図１７に示す例、すなわちタッチ検出幅Ｗ２が６ｍｍであり、走査ピッチＷ３が４ｍｍである場合には、ずれ量ＳＦＴは１ｍｍである。
【０１５７】
したがって、本実施の形態１では、このずれ量ＳＦＴを補正するアルゴリズムを追加するだけで、隣り合う駆動範囲が重なっていない場合の単純なアルゴリズムを用いて入力位置を位置分解能よく演算することができる。
【０１５８】
＜検出電極群＞
本実施の形態１の表示装置は、好適には、検出信号をまとめて検出するための複数の検出電極からなる検出電極群を複数個有してもよい。次に、この検出電極群について説明する。
【０１５９】
図１８は、実施の形態１における検出電極の一例を示す平面図である。なお、図１８では、検出電極に加えて、駆動電極を示している。
【０１６０】
図１８に示すように、複数の検出電極群ＴＤＧの各々は、Ｘ軸方向に連続して配置された複数の検出電極ＴＤＬと、接続部ＣＮＰと、を含む。複数の検出電極群ＴＤＧの各々に含まれる接続部ＣＮＰは、複数の検出電極群ＴＤＧの各々に含まれる複数の検出電極ＴＤＬの各々のＹ軸方向の負側の端部を互いに接続する。そして、複数の検出電極群ＴＤＧの各々に含まれる複数の検出電極ＴＤＬの各々は、接続部ＣＮＰを介して、タッチ検出部４０（図１参照）に接続されている。
【０１６１】
図１８に示す例では、複数の検出電極群ＴＤＧの各々は、Ｘ軸方向に連続して配置された２個の検出電極ＴＤＬを含む。
【０１６２】
また、このとき、タッチ検出部４０（図１参照）は、例えば各走査駆動動作において、検出電極群ＴＤＧに含まれる複数の検出電極ＴＤＬの各々と複数の駆動電極ＣＯＭＬとの間の静電容量としての静電容量Ｃｐ１をそれぞれ合算した静電容量Ｃｐ２に基づいて、入力位置を検出する。
【０１６３】
図１５に示したように、入力具が接触または近接する位置が、隣り合う２つの検出電極ＴＤＬの中間に位置する場合には、検出信号の強度が弱まる。一方、図１８に示すように、Ｘ軸方向に連続して配置され、かつ、互いに電気的に接続された複数の検出電極ＴＤＬからなる検出電極群ＴＤＧを有することにより、入力具が接触または近接する位置が、隣り合う２つの検出電極ＴＤＬの中間に位置する場合における、検出信号の強度を強めることができる。図１８に示す例では、実際に２本の検出電極ＴＤＬを直接接続、すなわち束ねているが、フレキシブル基板上で２本の検出電極ＴＤＬの各々とそれぞれ接続された２本の接続配線を接続、すなわち束ねてもよい。また、図１８に示す例では、２本の検出電極ＴＤＬを１つの検出電極群ＴＤＧとして束ねているが、３本以上の検出電極ＴＤＬを束ねても同様の効果が得られる。
【０１６４】
図１９は、実施の形態１における検出電極の他の例を示す平面図である。なお、図１９では、検出電極ＴＤＬに加えて、駆動電極ＣＯＭＬを示している。
【０１６５】
図１９に示す例では、検出電極群ＴＤＧは、図１８における接続部ＣＮＰを含まない。一方、タッチ検出部４０は、検出電極群ＴＤＧの各々にそれぞれ接続された複数のタッチ検出部４０ａを有し、複数のタッチ検出部４０ａの各々は、複数の変換部４３ａと、合算部４４ａと、を含む。複数の変換部４３ａは、検出電極群ＴＤＧに含まれる複数の検出電極ＴＤＬの各々とそれぞれ接続され、検出電極群ＴＤＧに含まれる複数の検出電極ＴＤＬの各々からの検出信号を、静電容量Ｃｐ１にそれぞれ変換する。合算部４４ａは、複数の変換部４３ａの各々と接続され、複数の変換部４３ａの各々で変換された静電容量Ｃｐ１をそれぞれ合算して静電容量Ｃｐ２を取得する。
【０１６６】
複数の変換部４３ａの各々は、図３を用いて説明した電圧検出器ＤＥＴと同様の電圧検出器ＤＥＴと、アナログサンプリング回路４３ｂと、Ａ／Ｄ変換回路４３ｃと、を有する。検出電極群ＴＤＧに含まれる複数の検出電極ＴＤＬの各々は、電圧検出器ＤＥＴに接続され、電圧検出器ＤＥＴは、アナログサンプリング回路４３ｂに接続され、アナログサンプリング回路４３ｂは、Ａ／Ｄ変換回路４３ｃに接続されている。そして、複数の検出電極群ＴＤＧの各々に含まれる複数の検出電極ＴＤＬの各々と、複数の電圧検出器ＤＥＴの各々、および、複数のアナログサンプリング回路の各々を介してそれぞれ接続された複数のＡ／Ｄ変換回路４３ｃは、１個の合算部４４ａに接続されている。合算部４４ａは、例えば信号処理部４４（図１参照）に含まれている。
【０１６７】
検出電極ＴＤＬで発生した検出信号は、電圧検出器ＤＥＴにより電圧波形に変換される。変換された電圧波形は、アナログサンプリング回路４３ｂによりアナログ信号としてサンプリングされ、サンプリングされたアナログ信号は、Ａ／Ｄ変換回路４３ｃにより、それぞれの検出電極ＴＤＬの静電容量としてのデジタル信号に変換される。このようにしてそれぞれの変換部４３ａで変換されたデジタル信号が、合算部４４ａにより合算されることにより、複数の検出電極群ＴＤＧの各々に含まれる複数の検出電極ＴＤＬの各々の静電容量Ｃｐ１が合算された静電容量Ｃｐ２が取得される。
【０１６８】
図１９に示す例でも、図１８に示す例と同様に、連続して配置され、互いに電気的に接続された複数の検出電極ＴＤＬからなる検出電極群ＴＤＧを有することになる。したがって、入力具が接触または近接する位置が、隣り合う２つの検出電極ＴＤＬの中間に位置する場合における、検出信号の強度を強めることができる。
【０１６９】
（実施の形態２）
実施の形態１では、１個の駆動範囲に含まれ、連続して配置された複数の駆動電極に供給される駆動信号の強度は互いに等しい。それに対して、実施の形態２では、１個の駆動範囲に含まれ、連続して配置された複数の駆動電極からなる配列のうち中央部に配置された駆動電極に供給される駆動信号の強度は、その配列の両端部に配置された駆動電極に供給される駆動信号の強度よりも小さいか、または、０である。
【０１７０】
本実施の形態２の表示装置の全体構成など、走査駆動動作以外の特徴については、実施の形態１の表示装置の特徴と同様であり、その説明を省略する。
【０１７１】
＜走査駆動動作＞
次に、図１および図２０を参照し、走査駆動動作を説明する。なお、以下では、駆動電極ドライバ１４が、駆動電極ＣＯＭＬを３個（タッチ検出幅Ｗ２）ずつ選択するが、選択される３個の駆動電極ＣＯＭＬの各々を２個（走査ピッチＷ３）ずつずらして走査する例について説明する。また、以下では、主として、実施の形態１と異なる点について、説明する。
【０１７２】
図２０は、実施の形態２の表示装置における走査駆動動作の一動作例を表す図である。図２０では、期間ＰＳ１およびＰＥ１の各々において、選択される駆動電極ＣＯＭＬにハッチングを付し、期間Ｐ１、Ｐ２、Ｐ３およびＰＮ４の各々において、選択される駆動電極ＣＯＭＬからなる配列ＣＡ２の両端部に配置された駆動電極ＣＯＭＬにハッチングを付して示す。また、図２０では、駆動範囲Ａ１に含まれる３個の駆動電極ＣＯＭＬ１、ＣＯＭＬ２およびＣＯＭＬ３の各々の上で入力具が接触または近接した場合において、期間ＰＳ１、Ｐ１、Ｐ２およびＰ３の各々における検出信号の強度を模式的にグラフとして示す。
【０１７３】
図２１は、実施の形態１の走査駆動動作を行ったときの、入力具の高さと、検出信号の強度との関係を示すグラフである。入力具の高さとは、タッチパネルの検出面に垂直な方向における、タッチパネルの検出面と入力具の先端との距離を意味する。また、図２１では、実施の形態１の実施例としての実施例１において、選択された複数の駆動電極ＣＯＭＬからなる配列ＣＡ２の中央部に配置された駆動電極ＣＯＭＬ上に入力具が位置する場合（「実施例１（中央部）」と表記）について、示している。また、図２１では、実施の形態１の実施例としての実施例１において、配列ＣＡ２の端部に配置された駆動電極ＣＯＭＬ上に入力具が位置する場合（「実施例１（端部）」と表記）について、示している。
【０１７４】
なお、図２１における検出信号の強度は、入力具として直径９ｍｍの導電材からなる円柱を接触させた場合の検出信号の強度を１００としたときの比率により表される。
【０１７５】
本実施の形態２でも、実施の形態１で図９を用いて説明したのと同様に、走査駆動動作において、駆動電極ドライバ１４は、駆動電極ＣＯＭＬを、タッチ検出幅Ｗ２および走査ピッチＷ３で走査駆動する。図２１に示す例では、駆動電極ドライバ１４は、駆動電極ＣＯＭＬを３個（タッチ検出幅Ｗ２）ずつ選択するが、選択される３個の駆動電極ＣＯＭＬの各々を２個（走査ピッチＷ３）ずつずらして走査する。
【０１７６】
図２０に示すように、駆動電極ドライバ１４は、期間ＰＳ１で、駆動範囲Ａ１において、最も外側の駆動電極である駆動電極ＣＯＭＬ１に駆動信号を供給する走査駆動動作（始端の走査駆動動作）ＤＳ１を行う。具体的には、期間ＰＳ１で、駆動電極ドライバ１４は、複数の駆動電極ＣＯＭＬからなる配列ＣＡ１のＹ軸方向における正側の端部に配置された駆動電極ＣＯＭＬ１に対して駆動信号を供給する走査駆動動作ＤＳ１を行う。
【０１７７】
期間ＰＳ１における検出信号の強度は、駆動電極ＣＯＭＬ１の上で入力具が接触または近接した場合（ＣＡＳＥ１）が最も強い。そして、駆動電極ＣＯＭＬ２の上で入力具が接触または近接した場合（ＣＡＳＥ２）が次に強く、駆動電極ＣＯＭＬ３の上で入力具が接触または近接した場合（ＣＡＳＥ３）が最も弱く略０に等しい。
【０１７８】
次に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。具体的には、駆動電極ドライバ１４は、走査駆動動作Ｄ１、Ｄ２、Ｄ３・・・ＤＮ４（Ｎ４≧２）を行う。各走査駆動動作では、複数の駆動電極ＣＯＭＬから、連続して配置された３個の駆動電極ＣＯＭＬを選択する。そして、選択された３個の駆動電極ＣＯＭＬからなる配列ＣＡ２のＹ軸方向における正側の端部に配置された駆動電極ＣＯＭＬ、および、配列ＣＡ２のＹ軸方向における負側の端部に配置された駆動電極ＣＯＭＬ、に対して駆動信号を供給する。また、駆動電極ドライバ１４は、選択される３個の駆動電極ＣＯＭＬの各々を、Ｙ軸方向における正側と反対側、すなわち負側に２個ずつずらしながら、走査駆動動作をＮ４（Ｎ４≧２）回、すなわち複数回繰り返す。
【０１７９】
このとき、本実施の形態２では、実施の形態１とは異なり、各走査駆動動作において、配列ＣＡ２の中央部に配置された駆動電極ＣＯＭＬに対して駆動信号が供給されないか、または、矩形波すなわちパルス波形に代えて固定電位が印加される。あるいは、配列ＣＡ２の中央部に配置された駆動電極ＣＯＭＬに対しては、配列ＣＡ２の両端部に配置された２つの駆動電極ＣＯＭＬのいずれに供給される駆動信号の強度よりも弱い強度を有する駆動信号が供給される。
【０１８０】
すなわち、本実施の形態２では、各走査駆動動作において、連続して配置されたＮ２（Ｎ２≧２）個の駆動電極ＣＯＭＬを選択する。そして、選択されたＮ２個の駆動電極ＣＯＭＬからなる配列ＣＡ２の中央部に配置された駆動電極ＣＯＭＬに対して駆動信号が供給されないか、または、配列ＣＡ２の両端部に配置された２つの駆動電極ＣＯＭＬのいずれに供給される駆動信号の強度よりも弱い強度を有する駆動信号が供給される。また、選択されるＮ２個の駆動電極の各々を、Ｙ軸方向における負側にＮ３（Ｎ３≧２）個ずらしながら、走査駆動動作を複数回繰り返す。Ｎ３は、Ｎ２未満である。したがって、Ｎ２は３に限定されず、Ｎ３は２に限定されない。例えばＮ２が５であり、Ｎ３が４であってもよい。
【０１８１】
駆動電極ＣＯＭＬ１の上で入力具が接触または近接した場合（ＣＡＳＥ１）、期間Ｐ１における検出信号の強度は、期間ＰＳ１における検出信号の強度と略等しく、期間Ｐ２における検出信号の強度は略０に減少する。駆動電極ＣＯＭＬ２の上で入力具が接触または近接した場合（ＣＡＳＥ２）、期間Ｐ１における検出信号の強度は、期間ＰＳ１における検出信号の強度よりも増加し、期間Ｐ１、Ｐ２、Ｐ３の順に検出信号が徐々に減少し、期間Ｐ３における検出信号の強度は略０になる。駆動電極ＣＯＭＬ３の上で入力具が接触または近接した場合（ＣＡＳＥ３）、期間ＰＳ１における検出信号の強度は略０であり、期間Ｐ１における検出信号の強度は、期間ＰＳ１における検出信号の強度よりも増加し、期間Ｐ２における検出信号の強度は、期間Ｐ１における検出信号の強度と略等しく、期間Ｐ３における検出信号の強度は略０に減少する。
【０１８２】
図２０に示す例でも、図１１に示す例と同様に、走査ピッチＷ３がタッチ検出幅Ｗ２よりも小さいので、駆動範囲に含まれる駆動電極ＣＯＭＬからなる配列ＣＡ２の走査方向（Ｙ軸方向）における端部に配置された駆動電極ＣＯＭＬの上で入力具が接触または近接した場合でも、検出信号の強度を強くすることができる。
【０１８３】
また、図２０に示す例でも、図１１に示す例と同様に、期間ＰＳ１において、駆動範囲Ａ１よりも狭い駆動範囲ＡＳ１で駆動電極ＣＯＭＬ１に駆動信号が供給される。これにより、複数の駆動電極ＣＯＭＬからなる配列ＣＡ１の始端の周辺で、タッチ位置を検出する際の位置分解能を向上させ、タッチに対する検出感度を向上させることができる。
【０１８４】
その後、駆動電極ドライバ１４は、期間ＰＥ１で、駆動範囲ＡＮ４（Ｎ４≧２）において、最も外側の駆動電極ＣＯＭＬに駆動信号を供給する走査駆動動作（終端の走査駆動動作）ＤＥ１を行う。具体的には、期間ＰＥ１で、駆動電極ドライバ１４は、複数の駆動電極ＣＯＭＬからなる配列ＣＡ１のＹ軸方向における負側の端部に配置された駆動電極ＣＯＭＬに対して駆動信号を供給する走査駆動動作ＤＥ１を行う。
【０１８５】
図２０に示す例でも、図１１に示す例と同様に、期間ＰＥ１において、駆動範囲ＡＮ４よりも狭い駆動範囲ＡＥ１で駆動電極ＣＯＭＬに駆動信号が供給される。これにより、複数の駆動電極ＣＯＭＬからなる配列ＣＡ１の終端の周辺で、タッチ位置を検出する際の位置分解能を向上させ、タッチに対する検出感度を向上させることができる。
【０１８６】
図２１に示す場合、すなわち、実施の形態１の場合には、配列ＣＡ２のいずれに配置された駆動電極ＣＯＭＬにも等しい駆動信号が供給される。このような場合、配列ＣＡ２の中央部に配置された駆動電極ＣＯＭＬ上に入力具が位置するときの検出信号の強度が大きくなりすぎ、検出信号の強度がしきい値ＴＨを超えるときの入力具の高さ、すなわち検出限界高さが高くなりすぎる。そして、タッチパネルの検出面から入力具がある程度離れてもなお入力位置が検出されるため、例えばタッチパネルに手書き入力された文字の各部分がつながってしまうことなどにより、入力装置の性能が低下する。
【０１８７】
なお、図２１に示す場合、配列ＣＡ２の端部に配置された駆動電極ＣＯＭＬ上に入力具が位置するときの検出信号の強度は大きくなりすぎず適切であり、検出限界高さも大きくなりすぎず適切である。
【０１８８】
一方、本実施の形態２の場合には、選択された駆動電極ＣＯＭＬからなる配列ＣＡ２の中央部に配置された駆動電極ＣＯＭＬには、駆動信号が供給されないか、または、配列ＣＡ２の端部に配置された駆動電極ＣＯＭＬに供給される駆動信号の強度よりも弱い強度を有する駆動信号が供給される。そのため、配列ＣＡ２の中央部に配置された駆動電極ＣＯＭＬ上に入力具が位置するときの検出信号の強度を、図２１の「実施例１（中央部）」と表記された場合よりも弱くし、図２１の「実施例１（端部）」と表記された場合の強度に近づけることができる。そして、検出電極ＴＤＬから入力具がある程度離れた場合には入力位置が検出されなくなるため、例えばタッチパネルに手書き入力された文字の各部分がつながってしまうことなどを防止または抑制し、入力装置の性能を向上させることができる。
【０１８９】
なお、本実施の形態２でも、図２０を用いて説明した始端の走査駆動動作ＤＳ１および終端の走査駆動動作ＤＥ１に代え、実施の形態１で図１２を用いて説明したように、始端の走査駆動動作ＤＳ２および終端の走査駆動動作ＤＥ２を行ってもよい。このような場合、実施の形態１で図１２を用いて説明した場合と同様の効果が得られる。
【０１９０】
また、本実施の形態２でも、図２０を用いて説明した始端の走査駆動動作ＤＳ１および終端の走査駆動動作ＤＥ１に加えて、実施の形態１で図１３を用いて説明したように、始端の走査駆動動作ＤＳ２および終端の走査駆動動作ＤＥ２を行ってもよい。このような場合、実施の形態１で図１３を用いて説明した場合と同様の効果が得られる。
【０１９１】
＜実施の形態２の第１変形例＞
次に、図１、図２２および図２３を参照し、実施の形態２の第１変形例について説明する。
【０１９２】
図２２は、実施の形態２の第１変形例の表示装置における駆動電極の配置を示す平面図である。図２３は、実施の形態２の第１変形例の表示装置における走査駆動動作の一動作例を表す図である。図２３では、期間ＰＳ１およびＰＥ１の各々において、選択される駆動電極ＣＯＭＬにハッチングを付し、期間Ｐ１、Ｐ２、Ｐ３およびＰＮ４の各々において、選択される駆動電極ＣＯＭＬからなる配列ＣＡ２の両端部に配置された駆動電極ＣＯＭＬにハッチングを付して示す。また、図２３では、駆動範囲Ａ１に含まれる３個の駆動電極ＣＯＭＬ１、ＣＯＭＬ２およびＣＯＭＬ３の各々の上で入力具が接触または近接した場合において、期間ＰＳ１、Ｐ１、Ｐ２およびＰ３の各々における検出信号の強度を模式的にグラフとして示す。
【０１９３】
図２４は、実施の形態１および実施の形態２の第１変形例の走査駆動動作を行ったときの、入力具の高さと、検出信号の強度との関係を示すグラフである。図２４では、実施の形態１の実施例としての実施例１において、選択された複数の駆動電極ＣＯＭＬからなる配列ＣＡ２の端部に配置された駆動電極ＣＯＭＬ上に入力具が位置する場合（「実施例１（端部）」と表記）を示す。また、図２４では、実施の形態２の第１変形例の実施例としての実施例２において、配列ＣＡ２の端部に配置された駆動電極ＣＯＭＬ上に入力具が位置する場合（「実施例２（端部）」と表記）について、示している。
【０１９４】
図２２に示すように、本第１変形例では、複数の駆動電極ＣＯＭＬは、並設されているが、互いに等しい幅を有していない。複数の駆動電極ＣＯＭＬは、複数の駆動電極ＣＯＭＬＢと、複数の駆動電極ＣＯＭＬＦと、からなる。複数の駆動電極ＣＯＭＬＢの各々と、複数の駆動電極ＣＯＭＬＦの各々とは、Ｙ軸方向における正側から負側に向かって、交互に配列されている。すなわち、複数の駆動電極ＣＯＭＬＢは、複数の駆動電極ＣＯＭＬからなる配列ＣＡ１のＹ軸方向における正側の端部から、配列ＣＡ１のＹ軸方向における負側の端部に向かって、配列ＣＡ１の奇数番目の位置にそれぞれ配置されている。また、複数の駆動電極ＣＯＭＬＦは、複数の駆動電極ＣＯＭＬからなる配列ＣＡ１のＹ軸方向における正側の端部から、配列ＣＡ１のＹ軸方向における負側の端部に向かって、配列ＣＡ１の偶数番目の位置にそれぞれ配置されている。複数の駆動電極ＣＯＭＬＢの各々のＹ軸方向における幅Ｗ１Ｂは、複数の駆動電極ＣＯＭＬＦの各々のＹ軸方向における幅Ｗ１Ｆよりも広い。
【０１９５】
本第１変形例でも、実施の形態２で図２１を用いて説明したのと同様に、走査駆動動作において、駆動電極ドライバ１４は、駆動電極ＣＯＭＬを、タッチ検出幅Ｗ２および走査ピッチＷ３で走査駆動する。図２２に示す例では、駆動電極ドライバ１４は、駆動電極ＣＯＭＬを３個（タッチ検出幅Ｗ２）ずつ選択するが、選択される３個の駆動電極ＣＯＭＬの各々を２個（走査ピッチＷ３）ずつずらして走査する。
【０１９６】
図２３に示すように、駆動電極ドライバ１４は、期間ＰＳ１で、駆動範囲Ａ１において、最も外側の駆動電極である駆動電極ＣＯＭＬ１に駆動信号を供給する走査駆動動作（始端の走査駆動動作）ＤＳ１を行う。具体的には、期間ＰＳ１で、駆動電極ドライバ１４は、複数の駆動電極ＣＯＭＬからなる配列ＣＡ１のＹ軸方向における正側の端部に配置された駆動電極ＣＯＭＬ１に対して駆動信号を供給する走査駆動動作ＤＳ１を行う。
【０１９７】
期間ＰＳ１における検出信号の強度は、駆動電極ＣＯＭＬ１の上で入力具が接触または近接した場合（ＣＡＳＥ１）が最も強く、駆動電極ＣＯＭＬ２の上で入力具が接触または近接した場合（ＣＡＳＥ２）が次に強く、駆動電極ＣＯＭＬ３の上で入力具が接触または近接した場合（ＣＡＳＥ３）が最も弱く略０に等しい。
【０１９８】
次に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。具体的には、駆動電極ドライバ１４は、走査駆動動作Ｄ１、Ｄ２、Ｄ３・・・ＤＮ４（Ｎ４≧２）を行う。各走査駆動動作では、複数の駆動電極ＣＯＭＬから、連続して配置された３個の駆動電極ＣＯＭＬを選択する。そして、選択された３個の駆動電極ＣＯＭＬからなる配列ＣＡ２のＹ軸方向における正側の端部に配置された駆動電極ＣＯＭＬ、および、配列ＣＡ２のＹ軸方向における負側の端部に配置された駆動電極ＣＯＭＬ、に対して駆動信号を供給する。また、駆動電極ドライバ１４は、選択される３個の駆動電極ＣＯＭＬの各々を、Ｙ軸方向における正側と反対側、すなわち負側に２個ずつずらしながら、走査駆動動作をＮ４（Ｎ４≧２）回、すなわち複数回繰り返す。
【０１９９】
本第１変形例でも、実施の形態２と同様に、各走査駆動動作において、配列ＣＡ２の中央部に配置された駆動電極ＣＯＭＬに対して駆動信号が供給されない。あるいは、配列ＣＡ２の中央部に配置された駆動電極ＣＯＭＬに対しては、配列ＣＡ２の両端部に配置された２つの駆動電極ＣＯＭＬのいずれに供給される駆動信号の強度よりも弱い強度を有する駆動信号が供給される。
【０２００】
その後、駆動電極ドライバ１４は、駆動範囲ＡＮ４（Ｎ４≧２）において、最も外側の駆動電極ＣＯＭＬに駆動信号を供給する（終端の走査駆動動作ＤＥ１）。具体的には、期間ＰＥ１で、駆動電極ドライバ１４は、複数の駆動電極ＣＯＭＬからなる配列ＣＡ１のＹ軸方向における負側の端部に配置された駆動電極ＣＯＭＬに対して駆動信号を供給する走査駆動動作ＤＥ１を行う。
【０２０１】
本第１変形例でも、実施の形態２と同様に、配列ＣＡ２の中央部に配置された駆動電極ＣＯＭＬには、駆動信号が供給されないか、または、配列ＣＡ２の端部に配置された駆動電極ＣＯＭＬに供給される駆動信号の強度よりも弱い強度を有する駆動信号が供給される。そのため、本第１変形例でも、実施の形態２と同様に、配列ＣＡ２の中央部に配置された駆動電極ＣＯＭＬ上に入力具が位置するときの検出信号の強度を、図２１の「実施例１（中央部）」と表記された場合よりも弱くし、図２１の「実施例１（端部）」と表記された場合の強度に近づけることができる。そして、例えばタッチパネルに手書き入力された文字の各部分がつながってしまうことなどを防止または抑制し、入力装置の性能を向上させることができる。
【０２０２】
ただし、本第１変形例では、選択された駆動電極ＣＯＭＬからなる配列ＣＡ２の端部に配置された駆動電極ＣＯＭＬのＹ軸方向における幅Ｗ１Ｂは、選択された駆動電極ＣＯＭＬからなる配列ＣＡ２の中央部に配置された駆動電極ＣＯＭＬのＹ軸方向における幅Ｗ１Ｆよりも広い。そのため、配列ＣＡ２の中央部に配置された駆動電極ＣＯＭＬ上に入力具が位置するときの検出信号の強度を弱くしつつ、配列ＣＡ２の端部に配置された駆動電極ＣＯＭＬ上に入力具が位置するときの検出信号の強度を、実施の形態１に比べ、強くすることができる。すなわち、図２４に示すように、配列ＣＡ２の端部に配置された駆動電極ＣＯＭＬ上に入力具が位置するときの検出信号の強度は、実施の形態１の実施例である実施例１（実施例１（端部））に比べ、本第１変形例の実施例である実施例２（実施例２（端部））の方が、強い。
【０２０３】
なお、本第１変形例でも、実施の形態２と同様に、図２３を用いて説明した始端の走査駆動動作ＤＳ１および終端の走査駆動動作ＤＥ１に代え、実施の形態１で図１２を用いて説明したように、始端の走査駆動動作ＤＳ２および終端の走査駆動動作ＤＥ２を行ってもよい。また、本第１変形例でも、実施の形態２と同様に、図２３を用いて説明した始端の走査駆動動作ＤＳ１および終端の走査駆動動作ＤＥ１に加えて、実施の形態１で図１３を用いて説明したように、始端の走査駆動動作ＤＳ２および終端の走査駆動動作ＤＥ２を行ってもよい。
【０２０４】
＜実施の形態２の第２変形例＞
次に、図２５および図２６を参照し、実施の形態２の第２変形例について説明する。
【０２０５】
図２５は、実施の形態２の第２変形例における検出電極の一例を示す平面図である。なお、図２５では、検出電極ＴＤＬに加えて、駆動電極ＣＯＭＬを示している。
【０２０６】
図２５に示す例では、複数の検出電極ＴＤＬの各々は、複数の部分ＴＰ１と、複数の部分ＴＰ２と、を含む。複数の部分ＴＰ１の各々は、複数の駆動電極ＣＯＭＬからなる配列ＣＡ１のＹ軸方向における正側の端部から、配列ＣＡ１のＹ軸方向における負側の端部に向かって、配列ＣＡ１の奇数番目にそれぞれ配置された複数の駆動電極ＣＯＭＬの各々と、平面視において重なる。複数の部分ＴＰ２の各々は、配列ＣＡ１のＹ軸方向における正側の端部から、配列ＣＡ１のＹ軸方向における負側の端部に向かって、配列ＣＡ１の偶数番目にそれぞれ配置された複数の駆動電極ＣＯＭＬの各々と、平面視において重なる。
【０２０７】
複数の部分ＴＰ１の各々は、Ｙ軸方向に延在し、複数の部分ＴＰ２の各々は、Ｙ軸方向に延在し、複数の部分ＴＰ１の各々と、複数の部分ＴＰ２の各々とは、Ｙ軸方向に交互に直列に接続されている。複数の部分ＴＰ２の各々のＸ軸方向における幅ＷＤ２は、複数の部分ＴＰ１の各々のＸ軸方向における幅ＷＤ１よりも狭い。
【０２０８】
なお、図２５に示す例では、各走査駆動動作では、選択された複数の駆動電極ＣＯＭＬからなる配列ＣＡ２（例えば図１１参照）の中央部に配置された駆動電極ＣＯＭＬに対しても、配列ＣＡ２の端部に配置された駆動電極ＣＯＭＬに供給される駆動信号の強度と等しい強度の駆動信号が供給される。図２５に示す例では、駆動範囲Ａ１に含まれる３個の駆動電極ＣＯＭＬ１、ＣＯＭＬ２およびＣＯＭＬ３のうち、駆動電極ＣＯＭＬ１およびＣＯＭＬ３のみならず、駆動電極ＣＯＭＬ２にも駆動信号が供給されることを、駆動電極ＣＯＭＬ１、ＣＯＭＬ２およびＣＯＭＬ３にハッチングを付して示している。
【０２０９】
このような場合にも、選択された複数の駆動電極ＣＯＭＬからなる配列ＣＡ２の中央部に配置された駆動電極ＣＯＭＬ上に入力具が位置するときの検出信号の強度を、部分ＴＰ２の幅ＷＤ２が部分ＴＰ１の幅ＷＤ１と等しい場合に比べ、弱くすることができる。そのため、配列ＣＡ２の中央部に配置された駆動電極ＣＯＭＬ上に入力具が位置するときの検出信号の強度を弱め、検出信号の強度がしきい値を超えるときの入力具の高さ、すなわち検出限界高さを低くすることができる。そして、タッチパネルの検出面から入力具がある程度離れても入力位置が検出されることを防止または抑制し、入力装置の性能を向上させることができる。
【０２１０】
図２６は、実施の形態２の第２変形例における検出電極の他の例を示す平面図である。なお、図２６では、検出電極ＴＤＬに加えて、駆動電極ＣＯＭＬを示している。
【０２１１】
図２６に示す例では、複数の検出電極ＴＤＬの各々は、複数の部分ＴＰ３と、複数の部分ＴＰ４と、を含む。複数の部分ＴＰ３の各々は、複数の駆動電極ＣＯＭＬからなる配列ＣＡ１のＹ軸方向における正側の端部から、配列ＣＡ１のＹ軸方向における負側の端部に向かって、配列ＣＡ１の奇数番目にそれぞれ配置された複数の駆動電極ＣＯＭＬの各々と、平面視において重なる。複数の部分ＴＰ４の各々は、配列ＣＡ１のＹ軸方向における正側の端部から、配列ＣＡ１のＹ軸方向における負側の端部に向かって、配列ＣＡ１の偶数番目にそれぞれ配置された複数の駆動電極ＣＯＭＬの各々と、平面視において重なる。
【０２１２】
複数の部分ＴＰ３の各々は、Ｙ軸方向にそれぞれ延在する２つの延在部ＥＸ１からなる。２つの延在部ＥＸ１は、Ｘ軸方向に間隔を空けて配置され、かつ、互いに並列に接続されている。複数の部分ＴＰ４の各々は、Ｙ軸方向に延在する１つの延在部ＥＸ２からなる。複数の部分ＴＰ３の各々と、複数の部分ＴＰ４の各々とは、Ｙ軸方向に交互に直列に接続されている。
【０２１３】
なお、図２６に示す例では、各走査駆動動作では、選択された複数の駆動電極ＣＯＭＬからなる配列ＣＡ２（例えば図１１参照）の中央部に配置された駆動電極ＣＯＭＬに対しても、配列ＣＡ２の端部に配置された駆動電極ＣＯＭＬに供給される駆動信号の強度と等しい強度の駆動信号が供給される。図２６に示す例では、駆動範囲Ａ１に含まれる３個の駆動電極ＣＯＭＬ１、ＣＯＭＬ２およびＣＯＭＬ３のうち、駆動電極ＣＯＭＬ１およびＣＯＭＬ３のみならず、駆動電極ＣＯＭＬ２にも駆動信号が供給されることを、駆動電極ＣＯＭＬ１、ＣＯＭＬ２およびＣＯＭＬ３にハッチングを付して示している。
【０２１４】
このような場合にも、選択された複数の駆動電極ＣＯＭＬからなる配列ＣＡ２の中央部に配置された駆動電極ＣＯＭＬ上に入力具が位置するときの検出信号の強度を、部分ＴＰ４が、部分ＴＰ３と同様に並列に接続された２つの延在部ＥＸ２からなる場合に比べ、弱くすることができる。そのため、配列ＣＡ２の中央部に配置された駆動電極ＣＯＭＬ上に入力具が位置するときの検出信号の強度を弱め、検出信号の強度がしきい値を超えるときの入力具の高さ、すなわち検出限界高さを低くすることができる。そして、タッチパネルの検出面から入力具がある程度離れても入力位置が検出されることを防止または抑制し、入力装置の性能を向上させることができる。
【０２１５】
（実施の形態３）
実施の形態２における走査駆動動作では、始端の走査駆動動作および終端の走査駆動動作を行う。それに対して、実施の形態３では、始端の走査駆動動作および終端の走査駆動動作を行わない。
【０２１６】
本実施の形態３の表示装置の全体構成など、走査駆動動作以外の特徴については、実施の形態２の表示装置の特徴と同様であり、その説明を省略する。
【０２１７】
＜走査駆動動作＞
次に、図１および図２７を参照し、走査駆動動作を説明する。なお、以下では、駆動電極ドライバ１４が、駆動電極ＣＯＭＬを３個（タッチ検出幅Ｗ２）ずつ選択するが、選択される３個の駆動電極ＣＯＭＬの各々を２個（走査ピッチＷ３）ずつずらして走査する例について説明する。また、以下では、主として、実施の形態２と異なる点について、説明する。
【０２１８】
図２７は、実施の形態３の表示装置における走査駆動動作の一動作例を表す図である。図２７では、期間Ｐ１、Ｐ２、Ｐ３およびＰＮ４の各々において、選択される駆動電極ＣＯＭＬからなる配列ＣＡ２の両端部に配置された駆動電極ＣＯＭＬにハッチングを付して示す。また、図２７では、駆動範囲Ａ１に含まれる３個の駆動電極ＣＯＭＬ１、ＣＯＭＬ２およびＣＯＭＬ３の各々の上で入力具が接触または近接した場合において、期間Ｐ１、Ｐ２およびＰ３の各々における検出信号の強度を模式的にグラフとして示す。
【０２１９】
本実施の形態３でも、実施の形態２と同様に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。また、図２７に示す本実施の形態３の走査駆動動作は、図２０を用いて説明した走査駆動動作から始端の走査駆動動作ＤＳ１、および、終端の走査駆動動作ＤＥ１を除いたものである。
【０２２０】
図２７に示す例でも、図２０に示す例と同様に、走査ピッチＷ３がタッチ検出幅Ｗ２よりも小さいので、駆動範囲に含まれる駆動電極ＣＯＭＬからなる配列ＣＡ２の走査方向（Ｙ軸方向）における端部に配置された駆動電極ＣＯＭＬの上で入力具が接触または近接した場合でも、検出信号の強度を強くすることができる。また、図２７に示す例でも、図２０に示す例と同様に、配列ＣＡ２の中央部に配置された駆動電極ＣＯＭＬ上に入力具が位置するときの検出信号の強度を、弱くすることができるため、例えばタッチパネルに手書き入力された文字の各部分がつながってしまうことなどを防止または抑制し、入力装置の性能を向上させることができる。
【０２２１】
したがって、駆動電極ＣＯＭＬからなる配列ＣＡ１の始端の周辺および終端の周辺で、タッチ位置を検出する際の位置分解能を向上させなくてもよく、タッチに対する検出感度を向上させなくてもよい場合には、実施の形態２に代え、本実施の形態３を適用することができる。
【０２２２】
＜実施の形態３の変形例＞
次に、図１および図２８を参照し、実施の形態３の変形例について説明する。図２８は、実施の形態３の変形例の表示装置における走査駆動動作の一動作例を表す図である。図２８では、期間Ｐ１、Ｐ２、Ｐ３およびＰＮ４の各々において、選択される駆動電極ＣＯＭＬからなる配列ＣＡ２の両端部に配置された駆動電極ＣＯＭＬにハッチングを付して示す。また、図２８では、駆動範囲Ａ１に含まれる３個の駆動電極ＣＯＭＬ１、ＣＯＭＬ２およびＣＯＭＬ３の各々の上で入力具が接触または近接した場合において、期間Ｐ１、Ｐ２およびＰ３の各々における検出信号の強度を模式的にグラフとして示す。
【０２２３】
本変形例でも、実施の形態２の第１変形例と同様に、駆動電極ドライバ１４は、駆動範囲Ａ１、Ａ２、Ａ３・・・ＡＮ４（Ｎ４≧２）の順に、駆動電極ＣＯＭＬを時分割的に走査駆動する。また、図２８に示す本変形例の走査駆動動作は、図２３を用いて説明した走査駆動動作から始端の走査駆動動作ＤＳ１、および、終端の走査駆動動作ＤＥ１を除いたものである。
【０２２４】
図２８に示す例でも、図２３に示す例と同様に、走査ピッチＷ３がタッチ検出幅Ｗ２よりも小さいので、駆動範囲に含まれる駆動電極ＣＯＭＬからなる配列ＣＡ２の走査方向（Ｙ軸方向）における端部に配置された駆動電極ＣＯＭＬの上で入力具が接触または近接した場合でも、検出信号の強度を強くすることができる。また、図２８に示す例でも、図２３に示す例と同様に、配列ＣＡ２の中央部に配置された駆動電極ＣＯＭＬ上に入力具が位置するときの検出信号の強度を、弱くすることができるため、例えばタッチパネルに手書き入力された文字の各部分がつながってしまうことなどを防止または抑制し、入力装置の性能を向上させることができる。
【０２２５】
したがって、駆動電極ＣＯＭＬからなる配列ＣＡ１の始端の周辺および終端の周辺で、タッチ位置を検出する際の位置分解能を向上させなくてもよく、タッチに対する検出感度を向上させなくてもよい場合には、実施の形態２の第１変形例に代え、本変形例を適用することができる。
【０２２６】
（実施の形態４）
実施の形態１、実施の形態２およびその各変形例、ならびに、実施の形態３およびその変形例では、タッチパネルとして、相互容量方式のタッチパネルを適用した例について説明した。しかし、タッチパネルとして、自己容量方式のタッチパネルを適用することもできる。
【０２２７】
図２９および図３０は、自己容量方式における検出電極の電気的な接続状態を表す説明図である。
【０２２８】
自己容量方式におけるタッチパネルでは、図２９に示すように、静電容量Ｃｘを有する検出電極ＴＤＬが、静電容量Ｃｒ１を有する検出回路ＳＣ１から切り離され、電源Ｖｄｄと電気的に接続された時に、静電容量Ｃｘを有する検出電極ＴＤＬに電荷量Ｑ１が蓄積される。次に、図３０に示すように、静電容量Ｃｘを有する検出電極ＴＤＬが電源Ｖｄｄから切り離され、静電容量Ｃｒ１を有する検出回路ＳＣ１と電気的に接続された時に、検出回路ＳＣ１に流れ出る電荷量Ｑ２を検出する。
【０２２９】
ここで、検出電極ＴＤＬに指が接触または近接した場合、指による容量により、検出電極ＴＤＬの静電容量Ｃｘが変化し、検出電極ＴＤＬが検出回路ＳＣ１と接続された時に、検出回路ＳＣ１に流れ出る電荷量Ｑ２も変化する。したがって、流れ出る電荷量Ｑ２を検出回路ＳＣ１により測定して検出電極ＴＤＬの静電容量Ｃｘの変化を検出することにより、検出電極ＴＤＬに指が接触または近接したか否かを判定することができる。
【０２３０】
あるいは、表示装置は、Ｘ軸方向（図５参照）にそれぞれ延在し、かつ、Ｙ軸方向（図５参照）に間隔を空けて配列された複数の検出電極ＴＤＬと、Ｙ軸方向にそれぞれ延在し、かつ、Ｘ軸方向に間隔を空けて配列された複数の検出電極ＴＤＬとを有してもよい。このような場合、各方向に延在する複数の検出電極ＴＤＬの静電容量Ｃｘの変化を検出することにより、入力位置を二次元的に検出することができる。
【０２３１】
このような表示装置でも、例えばＸ軸方向にそれぞれ延在する複数の検出電極ＴＤＬの駆動方法として、前述した実施の形態１、実施の形態２およびその各変形例、ならびに、実施の形態３およびその変形例における駆動電極ＣＯＭＬの駆動方法と同様の駆動方法を適用することができる。これにより、例えば駆動範囲の境界部、および、表示領域の端部のいずれにおいて入力具が接触または近接した場合でも、検出感度および位置分解能を向上させることができ、実施の形態１、実施の形態２およびその各変形例、ならびに、実施の形態３およびその変形例の表示装置が有する効果と同様の効果を有する。
【０２３２】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【０２３３】
また、前記実施の形態においては、開示例として液晶表示装置の場合を例示したが、その他の適用例として、有機ＥＬ表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることはいうまでもない。
【０２３４】
本発明の思想の範疇において、当業者であれば、各種の変更例および修正例に想到し得るものであり、それら変更例および修正例についても本発明の範囲に属するものと了解される。
【０２３５】
例えば、前述の各実施の形態に対して、当業者が適宜、構成要素の追加、削除もしくは設計変更を行ったもの、または、工程の追加、省略もしくは条件変更を行ったものも、本発明の要旨を備えている限り、本発明の範囲に含まれる。
【産業上の利用可能性】
【０２３６】
本発明は、表示装置に適用して有効である。
【符号の説明】
【０２３７】
１  表示装置
２  アレイ基板
３  対向基板
６  液晶層
１０  タッチ検出機能付き表示デバイス
１１  制御部
１２  ゲートドライバ
１３  ソースドライバ
１４  駆動電極ドライバ
１９  ＣＯＧ
２０  液晶表示デバイス（表示デバイス）
２１  基板
２２  画素電極
２４  絶縁膜
３０  タッチ検出デバイス
３１  基板
３２  カラーフィルタ
３２Ｂ、３２Ｇ、３２Ｒ  色領域
３５  偏光板
４０、４０ａ  タッチ検出部
４２  タッチ検出信号増幅部
４３  Ａ／Ｄ変換部
４３ａ  変換部
４３ｂ  アナログサンプリング回路
４３ｃ  変換回路
４４  信号処理部
４４ａ  合算部
４５  座標抽出部
４６  検出タイミング制御部
Ａ１〜Ａ４、ＡＥ１、ＡＥ２、ＡＮ４、ＡＳ１、ＡＳ２  駆動範囲
Ａｄ  表示領域
Ｃ１  容量素子
Ｃ２、Ｃｐ１、Ｃｐ２、Ｃｒ１、Ｃｘ  静電容量
ＣＡ１、ＣＡ２  配列
Ｃａｐ  容量
ＣＮＰ  接続部
ＣＯＭＬ、ＣＯＭＬ１〜ＣＯＭＬ３、ＣＯＭＬＢ、ＣＯＭＬＦ  駆動電極
Ｄ  誘電体
Ｄ１〜Ｄ３、ＤＥ１、ＤＥ２、ＤＮ４、ＤＳ１、ＤＳ２  走査駆動動作
ＤＥＴ  電圧検出器
Ｅ１  駆動電極
Ｅ２  検出電極
ＥＸ１、ＥＸ２  延在部
ＧＣＬ  走査線
ＬＣ  液晶素子
Ｐ１〜Ｐ３、ＰＥ１、ＰＥ２、ＰＮ４、ＰＳ１、ＰＳ２  期間
Ｐｉｘ  画素
Ｑ１、Ｑ２  電荷量
Ｒｅｓｅｔ  期間
Ｓ  交流信号源
ＳＣ１  検出回路
Ｓｃａｎ  スキャン方向
ＳＦＴ  ずれ量
Ｓｇ  交流矩形波
ＳＧＬ  信号線
ＳＰｉｘ  副画素
ＳＰｉｘＧ  画素群
Ｔ  端子部
ＴＤＧ  検出電極群
ＴＤＬ  検出電極
ＴＰ１〜ＴＰ４  部分
Ｔｒ  ＴＦＴ素子
Ｖｃｏｍ、Ｖｃｏｍｔ  駆動信号
Ｖｄｄ  電源
Ｖｄｅｔ  検出信号
Ｖｄｉｓｐ  映像信号
Ｖｏｕｔ  信号出力
Ｖｐｉｘ  画素信号
Ｖｓｃａｎ  走査信号
Ｖｓｉｇ  画像信号
Ｗ１、Ｗ１Ｂ、Ｗ１Ｆ、ＷＤ１、ＷＤ２  幅
Ｗ２  タッチ検出幅
Ｗ３  走査ピッチ
【図１】
0006345575.tif 000002
【図２】
0006345575.tif 000003
【図３】
0006345575.tif 000004
【図４】
0006345575.tif 000005
【図５】
0006345575.tif 000006
【図６】
0006345575.tif 000007
【図７】
0006345575.tif 000008
【図８】
0006345575.tif 000009
【図９】
0006345575.tif 000010
【図１０】
0006345575.tif 000011
【図１１】
0006345575.tif 000012
【図１２】
0006345575.tif 000013
【図１３】
0006345575.tif 000014
【図１４】
0006345575.tif 000015
【図１５】
0006345575.tif 000016
【図１６】
0006345575.tif 000017
【図１７】
0006345575.tif 000018
【図１８】
0006345575.tif 000019
【図１９】
0006345575.tif 000020
【図２０】
0006345575.tif 000021
【図２１】
0006345575.tif 000022
【図２２】
0006345575.tif 000023
【図２３】
0006345575.tif 000024
【図２４】
0006345575.tif 000025
【図２５】
0006345575.tif 000026
【図２６】
0006345575.tif 000027
【図２７】
0006345575.tif 000028
【図２８】
0006345575.tif 000029
【図２９】
0006345575.tif 000030
【図３０】
0006345575.tif 000031